(57)【要約】  ユーザ機器におけるワイヤレス通信の方法および装置は、アップリンクデータパケットを圧縮することを含む。本方法および装置は、非圧縮アップリンクデータパケットの送信のために許可された持続時間内に複数回ネットワークエンティティにアップリンク専用トランスポートチャネル(DCH)上でアップリンクデータパケットを送信することをさらに含む。さらに、本方法および装置は、ネットワークエンティティからアップリンクデータパケットに対応するダウンリンク肯定応答メッセージを受信することを含む。さらに、本方法および装置は、ダウンリンク肯定応答メッセージを受信することに基づいてDCH上で持続時間の残余の間ゼロパワーのビットを送信することによってアップリンクDCHの送信を終了することを含む。
2015521821.tif 000002
【特許請求の範囲】
【請求項１】
ユーザ機器におけるワイヤレス通信の方法であって、
アップリンクデータパケットを圧縮するステップと、
非圧縮アップリンクデータパケットの送信のために許可された持続時間内に複数回ネットワークエンティティにアップリンク専用トランスポートチャネル(DCH)上で前記アップリンクデータパケットを送信するステップと、
前記ネットワークエンティティから前記アップリンクデータパケットに対応するダウンリンク肯定応答メッセージを受信するステップと、
前記ダウンリンク肯定応答メッセージを受信することに基づいて前記DCH上で前記持続時間の残余の間ゼロパワーのビットを送信することによって前記アップリンクDCHの送信を終了するステップと、
を含む、方法。
【請求項２】
前記アップリンクデータパケットを圧縮するステップが、nの率で送信時間間隔(TTI)を低減させることを含み、前記複数回がn回を含む、請求項1に記載の方法。
【請求項３】
前記ネットワークエンティティから、アップリンク電力制御メッセージを受信するステップであって、前記ネットワークエンティティが、少なくとも信号対干渉比(SIR)ターゲット値に基づいて前記アップリンク電力制御メッセージのコンテンツを判断する、受信するステップと、
前記アップリンク電力制御メッセージに従ってデータチャネルに対応するアップリンク送信電力を調整するステップと、
をさらに含む、請求項1に記載の方法。
【請求項４】
前記SIRターゲット値が、特定の復号試みに関連するターゲット残差ブロック誤り率(BLER)に基づく、請求項3に記載の方法。
【請求項５】
前記ターゲット残差BLERと、前記ターゲット残差BLERがターゲットにされる前記特定の復号試みとのうちの少なくとも1つが、前記ネットワークエンティティにおいて測定されたアップリンク負荷とユーザ機器パワーヘッドルームとのうちの少なくとも1つに基づく、請求項4に記載の方法。
【請求項６】
新しいアップリンクチャネルを確立するステップと、
前記DCH上でダウンリンクデータパケットを受信するステップと、
前記ダウンリンクデータパケットを正常に復号するステップと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信するステップと、
前記アップリンク肯定応答メッセージを送信することに基づいて制御チャネル上でのアップリンク通信を終了するステップと、
をさらに含む、請求項1に記載の方法。
【請求項７】
前記ダウンリンク肯定応答メッセージを受信することと、前記ダウンリンクデータパケットを正常に復号することとに基づいて送信機を電源切断するステップをさらに含む、請求項6に記載の方法。
【請求項８】
前記新しいアップリンクチャネルが、トランスポートフォーマット組合せインジケータ(TFCI)を含む、請求項6に記載の方法。
【請求項９】
TFCIビットを含まないスロットフォーマットを用いて前記制御チャネルを構成するステップをさらに含む、請求項6に記載の方法。
【請求項１０】
前記アップリンクデータパケットがボイスデータを含む、請求項1に記載の方法。
【請求項１１】
ワイヤレス通信のための装置であって、
アップリンクデータパケットを圧縮するための手段と、
非圧縮アップリンクデータパケットの送信のために許可された持続時間内に複数回ネットワークエンティティにアップリンク専用トランスポートチャネル(DCH)上で前記アップリンクデータパケットを送信するための手段と、
前記ネットワークエンティティから前記アップリンクデータパケットに対応するダウンリンク肯定応答メッセージを受信するための手段と、
前記ダウンリンク肯定応答メッセージを受信することに基づいて前記DCH上で前記持続時間の残余の間ゼロパワーのビットを送信することによって前記アップリンクDCHの送信を終了するための手段と、
を含む、装置。
【請求項１２】
前記ネットワークエンティティから、アップリンク電力制御メッセージを受信するための手段であって、前記ネットワークエンティティが、少なくとも信号対干渉比(SIR)ターゲット値に基づいて前記アップリンク電力制御メッセージのコンテンツを判断する、受信するための手段と、
前記アップリンク電力制御メッセージに従ってデータチャネルに対応するアップリンク送信電力を調整するための手段と、
をさらに含む、請求項11に記載の装置。
【請求項１３】
新しいアップリンクチャネルを確立するための手段と、
前記DCH上でダウンリンクデータパケットを受信するための手段と、
前記ダウンリンクデータパケットを正常に復号するための手段と、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信するための手段と、
前記アップリンク肯定応答メッセージを送信することに基づいて制御チャネル上でのアップリンク通信を終了するための手段と、
をさらに含む、請求項11に記載の装置。
【請求項１４】
アップリンクデータパケットを圧縮することと、
非圧縮アップリンクデータパケットの送信のために許可された持続時間内に複数回ネットワークエンティティにアップリンク専用トランスポートチャネル(DCH)上で前記アップリンクデータパケットを送信することと、
前記ネットワークエンティティから前記アップリンクデータパケットに対応するダウンリンク肯定応答メッセージを受信することと、
前記ダウンリンク肯定応答メッセージを受信することに基づいて前記DCH上で前記持続時間の残余の間ゼロパワーのビットを送信することによって前記アップリンクDCHの送信を終了することと、
を行うためのコードを含む、コンピュータプログラム。
【請求項１５】
前記コンピュータプログラムが、
前記ネットワークエンティティから、アップリンク電力制御メッセージを受信することであって、前記ネットワークエンティティが、少なくとも信号対干渉比(SIR)ターゲット値に基づいて前記アップリンク電力制御メッセージのコンテンツを判断する、受信することと、
前記アップリンク電力制御メッセージに従ってデータチャネルに対応するアップリンク送信電力を調整することと、
を行うためのコードをさらに含む、請求項14に記載のコンピュータプログラム。
【請求項１６】
前記コンピュータプログラムが、
新しいアップリンクチャネルを確立することと、
前記DCH上でダウンリンクデータパケットを受信することと、
前記ダウンリンクデータパケットを正常に復号することと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信することと、
前記アップリンク肯定応答メッセージを送信することに基づいて制御チャネル上でのアップリンク通信を終了することと、
を行うためのコードをさらに含む、請求項14に記載のコンピュータプログラム。
【請求項１７】
ワイヤレス通信のための装置であって、
少なくとも1つのプロセッサと、
前記少なくとも1つのプロセッサに結合されたメモリと
を含み、前記少なくとも1つのプロセッサが、
アップリンクデータパケットを圧縮することと、
非圧縮アップリンクデータパケットの送信のために許可された持続時間内に複数回ネットワークエンティティにアップリンク専用トランスポートチャネル(DCH)上で前記アップリンクデータパケットを送信することと、
前記ネットワークエンティティから前記アップリンクデータパケットに対応するダウンリンク肯定応答メッセージを受信することと、
前記ダウンリンク肯定応答メッセージを受信することに基づいて前記DCH上で前記持続時間の残余の間ゼロパワーのビットを送信することによって前記アップリンクDCHの送信を終了することと、
を行うように構成された、装置。
【請求項１８】
前記アップリンクデータパケットを圧縮するために、前記少なくとも1つのプロセッサが、nの率で送信時間間隔(TTI)を低減させることを行うようにさらに構成され、前記複数回がn回を含む、請求項17に記載の装置。
【請求項１９】
前記少なくとも1つのプロセッサが、
前記ネットワークエンティティから、アップリンク電力制御メッセージを受信することであって、前記ネットワークエンティティが、少なくとも信号対干渉比(SIR)ターゲット値に基づいて前記アップリンク電力制御メッセージのコンテンツを判断する、受信することと、
前記アップリンク電力制御メッセージに従ってデータチャネルに対応するアップリンク送信電力を調整することと、
を行うようにさらに構成された、請求項17に記載の装置。
【請求項２０】
前記SIRターゲット値が、特定の復号試みに関連するターゲット残差ブロック誤り率(BLER)に基づく、請求項19に記載の装置。
【請求項２１】
前記ターゲット残差BLERと、前記ターゲット残差BLERがターゲットにされる前記特定の復号試みとのうちの少なくとも1つが、前記ネットワークエンティティにおいて測定されたアップリンク負荷とユーザ機器パワーヘッドルームとのうちの少なくとも1つに基づく、請求項20に記載の装置。
【請求項２２】
前記少なくとも1つのプロセッサが、
新しいアップリンクチャネルを確立することと、
前記DCH上でダウンリンクデータパケットを受信することと、
前記ダウンリンクデータパケットを正常に復号することと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信することと、
前記アップリンク肯定応答メッセージを送信することに基づいて制御チャネル上でのアップリンク通信を終了することと、
を行うようにさらに構成された、請求項17に記載の装置。
【請求項２３】
前記少なくとも1つのプロセッサが、前記ダウンリンク肯定応答メッセージを受信することと、前記ダウンリンクデータパケットを正常に復号することとに基づいて送信機を電源切断するようにさらに構成された、請求項22に記載の装置。
【請求項２４】
前記新しいアップリンクチャネルが、トランスポートフォーマット組合せインジケータ(TFCI)を含む、請求項22に記載の装置。
【請求項２５】
前記少なくとも1つのプロセッサが、TFCIビットを含まないスロットフォーマットを用いて前記制御チャネルを構成するようにさらに構成された、請求項22に記載の装置。
【請求項２６】
前記アップリンクデータパケットがボイスデータを含む、請求項17に記載の装置。
【請求項２７】
ネットワークエンティティにおけるワイヤレス通信の方法であって、
アップリンク専用トランスポートチャネル(DCH)上でユーザ機器(UE)からアップリンクデータパケットの少なくとも一部分を受信するステップであって、前記アップリンクデータパケットが圧縮される、受信するステップと、
早期復号時間のセットにおいて前記アップリンクデータパケットを早期復号しようと試みるステップと、
前記UEに関連する信号対干渉比(SIR)ターゲット値を更新するステップであって、前記アップリンクデータパケットが、特定の復号試みにおいて正常に復号される、更新するステップと、
前記UEにアップリンク電力制御メッセージを送信するステップであって、アップリンク電力制御メッセージのコンテンツが少なくとも前記SIRターゲット値に基づき、前記SIRターゲット値が、ターゲット残差ブロック誤り率(BLER)に関連付けられる、送信するステップと、
を含む、方法。
【請求項２８】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項27に記載の方法。
【請求項２９】
前記DCH上でダウンリンクデータパケットを送信するステップと、
前記ダウンリンクデータパケットを送信することに基づいて前記新しいアップリンクデータチャネル上で前記ダウンリンクデータパケットに対応するアップリンク肯定応答メッセージを受信するステップと、
をさらに備える、請求項27に記載の方法。
【請求項３０】
前記新しいアップリンクチャネルが、トランスポートフォーマット組合せインジケータ(TFCI)を含む、請求項29に記載の方法。
【請求項３１】
前記アップリンクデータパケットがボイスデータを含む、請求項27に記載の方法。
【請求項３２】
前記圧縮アップリンクデータパケットが、nの率で低減された送信時間間隔(TTI)を少なくとも含む、請求項27に記載の方法。
【請求項３３】
ワイヤレス通信のための装置であって、
アップリンク専用トランスポートチャネル(DCH)上でユーザ機器(UE)からアップリンクデータパケットの少なくとも一部分を受信するための手段であって、前記アップリンクデータパケットが圧縮される、受信するための手段と、
早期復号時間のセットにおいて前記アップリンクデータパケットを早期復号しようと試みるための手段と、
前記UEに関連する信号対干渉比(SIR)ターゲット値を更新するための手段であって、前記アップリンクデータパケットが、特定の復号試みにおいて正常に復号される、更新するための手段と、
前記UEにアップリンク電力制御メッセージを送信するための手段であって、アップリンク電力制御メッセージのコンテンツが少なくとも前記SIRターゲット値に基づき、前記SIRターゲット値が、ターゲット残差ブロック誤り率(BLER)に関連付けられる、送信するための手段と、
を含む、装置。
【請求項３４】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項33に記載の装置。
【請求項３５】
アップリンク専用トランスポートチャネル(DCH)上でユーザ機器(UE)からアップリンクデータパケットの少なくとも一部分を受信することであって、前記アップリンクデータパケットが圧縮される、受信することと、
早期復号時間のセットにおいて前記アップリンクデータパケットを早期復号しようと試みることと、
前記UEに関連する信号対干渉比(SIR)ターゲット値を更新することであって、前記アップリンクデータパケットが、特定の復号試みにおいて正常に復号される、更新することと、
前記UEにアップリンク電力制御メッセージを送信することであって、アップリンク電力制御メッセージのコンテンツが少なくとも前記SIRターゲット値に基づき、前記SIRターゲット値が、ターゲット残差ブロック誤り率(BLER)に関連付けられる、送信することと、
を行うためのコードを備える、コンピュータプログラム。
【請求項３６】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項35に記載のコンピュータプログラム。
【請求項３７】
ワイヤレス通信のための装置であって、
少なくとも1つのプロセッサと、
前記少なくとも1つのプロセッサに結合されたメモリと
を含み、前記少なくとも1つのプロセッサが、
アップリンク専用トランスポートチャネル(DCH)上でユーザ機器(UE)からアップリンクデータパケットの少なくとも一部分を受信することであって、前記アップリンクデータパケットが圧縮される、受信することと、
早期復号時間のセットにおいて前記アップリンクデータパケットを早期復号しようと試みることと、
前記UEに関連する信号対干渉比(SIR)ターゲット値を更新することであって、前記アップリンクデータパケットが、特定の復号試みにおいて正常に復号される、更新することと、
前記UEにアップリンク電力制御メッセージを送信することであって、アップリンク電力制御メッセージのコンテンツが少なくとも前記SIRターゲット値に基づき、前記SIRターゲット値が、ターゲット残差ブロック誤り率(BLER)に関連付けられる、送信することと、
を行うように構成された、装置。
【請求項３８】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項37に記載の装置。
【請求項３９】
前記少なくとも1つのプロセッサが、
前記DCH上でダウンリンクデータパケットを送信することと、
前記ダウンリンクデータパケットを送信することに基づいて前記新しいアップリンクデータチャネル上で前記ダウンリンクデータパケットに対応するアップリンク肯定応答メッセージを受信することと、
を行うようにさらに構成された、請求項37に記載の装置。
【請求項４０】
前記新しいアップリンクチャネルが、トランスポートフォーマット組合せインジケータ(TFCI)を含む、請求項39に記載の装置。
【請求項４１】
前記アップリンクデータパケットがボイスデータを含む、請求項37に記載の装置。
【請求項４２】
前記圧縮アップリンクデータパケットが、nの率で低減された送信時間間隔(TTI)を少なくとも含む、請求項37に記載の装置。
【発明の詳細な説明】
【技術分野】
【０００１】
本開示の態様は、一般に、ワイヤレス通信システムに関し、より詳細には、ワイヤレスデバイス送信タイミングに関する。
【０００２】
［米国特許法第119条に基づく優先権の主張］
本特許出願は、本出願の譲受人に譲渡され、参照により本明細書に明確に組み込まれる、2012年7月12日に出願された「METHODS AND APPARATUS FOR ENABLING FAST EARLY TERMINATION OF VOICE FRAMES ON THE UPLINK」と題するPCT国際出願第PCT/CN2012/078023号の優先権を主張する。
【背景技術】
【０００３】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM（登録商標）)技術の後継であり、広帯域符号分割多元接続(W-CDMA（登録商標）)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような改良型の3Gデータ通信プロトコルもサポートする。
【０００４】
モバイルブロードバンドアクセスに対する要望が増し続けるにつれて、研究開発は、モバイルブロードバンドアクセスに対する高まる要望を満たすためだけでなく、モバイル通信によるユーザ経験を進化させかつ向上させるためにも、UMTS技術を進化させ続けている。
【０００５】
いくつかのワイヤレス通信システムでは、回線交換ボイスの非効率性が課題であり、全体的なワイヤレスネットワーク通信に悪影響を及ぼし得る。特に、上記のボイスの非効率性は、ユーザ機器(UE)において高い電力消費量をもたらし得る。さらに、UEおよび基地局の現在の実装形態は、上述のボイスの非効率性に対処することができていない。したがって、ワイヤレスネットワーク通信の強化が望まれる。
【先行技術文献】
【非特許文献】
【０００６】
【非特許文献１】第3世代パートナーシッププロジェクト(3GPP)仕様TS 25.212
【非特許文献２】RRC Protocol Specification、3GPP TS 25.331 v9.1.0
【発明の概要】
【課題を解決するための手段】
【０００７】
一態様では、ユーザ機器におけるワイヤレス通信の方法は、アップリンクデータパケットを圧縮するステップを含む。本方法は、非圧縮アップリンクデータパケットの送信のために許可された持続時間内に複数回ネットワークエンティティにアップリンク専用トランスポートチャネル(DCH)上でアップリンクデータパケットを送信するステップをさらに含む。さらに、本方法は、ネットワークエンティティからアップリンクデータパケットに対応するダウンリンク肯定応答メッセージを受信するステップを含む。さらに、本方法は、ダウンリンク肯定応答メッセージを受信することに基づいてDCH上で持続時間の残余の間ゼロパワーのビットを送信することによってアップリンクDCHの送信を終了するステップを含む。
【０００８】
本開示の別の態様は、アップリンクデータパケットを圧縮するための手段を含むワイヤレス通信のための装置を含む。本装置は、非圧縮アップリンクデータパケットの送信のために許可された持続時間内に複数回ネットワークエンティティにアップリンク専用トランスポートチャネル(DCH)上でアップリンクデータパケットを送信するための手段をさらに含む。さらに、本装置は、ネットワークエンティティからアップリンクデータパケットに対応するダウンリンク肯定応答メッセージを受信するための手段を含む。さらに、本装置は、ダウンリンク肯定応答メッセージを受信することに基づいてDCH上で持続時間の残余の間ゼロパワーのビットを送信することによってアップリンクDCHの送信を終了するための手段を含む。
【０００９】
別の態様では、コンピュータ可読媒体を含むコンピュータプログラム製品は、アップリンクデータパケットを圧縮することと、非圧縮アップリンクデータパケットの送信のために許可された持続時間内に複数回ネットワークエンティティにアップリンク専用トランスポートチャネル(DCH)上でアップリンクデータパケットを送信することとを行うためのコードを含む。コンピュータ可読媒体は、ネットワークエンティティからアップリンクデータパケットに対応するダウンリンク肯定応答メッセージを受信することを行うためのコードをさらに含む。さらに、コンピュータ可読媒体は、ダウンリンク肯定応答メッセージを受信することに基づいてDCH上で持続時間の残余の間ゼロパワーのビットを送信することによってアップリンクDCHの送信を終了することを行うためのコードを含む。
【００１０】
さらなる態様は、少なくとも1つのプロセッサと、少なくとも1つのプロセッサに結合されたメモリとを含むワイヤレス通信のための装置を含む。少なくとも1つのプロセッサは、アップリンクデータパケットを圧縮することと、非圧縮アップリンクデータパケットの送信のために許可された持続時間内に複数回ネットワークエンティティにアップリンク専用トランスポートチャネル(DCH)上でアップリンクデータパケットを送信することとを行うように構成される。少なくとも1つのプロセッサは、ネットワークエンティティからアップリンクデータパケットに対応するダウンリンク肯定応答メッセージを受信することを行うようにさらに構成される。さらに、少なくとも1つのプロセッサは、ダウンリンク肯定応答メッセージを受信することに基づいてDCH上で持続時間の残余の間ゼロパワーのビットを送信することによってアップリンクDCHの送信を終了することを行うように構成される。
【００１１】
さらなる態様では、ネットワークエンティティにおけるワイヤレス通信の方法は、アップリンク専用トランスポートチャネル(DCH)上でユーザ機器(UE)からアップリンクデータパケットの少なくとも一部分を受信するためのステップであって、アップリンクデータパケットが圧縮される、受信するためのステップを含む。さらに、本方法は、早期復号時間のセットにおいてアップリンクデータパケットを早期復号しようと試みるステップを含む。本方法は、UEに関連する信号対干渉比(SIR)ターゲット値を更新するステップであって、アップリンクデータパケットが、特定の復号試みにおいて正常に復号される、更新するステップをさらに含む。さらに、本方法は、UEにアップリンク電力制御メッセージを送信するステップであって、アップリンク電力制御メッセージのコンテンツが少なくともSIRターゲット値に基づき、SIRターゲット値が、ターゲット残差ブロック誤り率(BLER)に関連付けられる、送信するステップを含む。
【００１２】
追加の態様は、アップリンク専用トランスポートチャネル(DCH)上でユーザ機器(UE)からアップリンクデータパケットの少なくとも一部分を受信するための手段であって、アップリンクデータパケットが圧縮される、受信するための手段を含むワイヤレス通信のための装置を含む。さらに、本装置は、早期復号時間のセットにおいてアップリンクデータパケットを早期復号しようと試みるための手段を含む。本装置は、UEに関連する信号対干渉比(SIR)ターゲット値を更新するための手段であって、アップリンクデータパケットが、特定の復号試みにおいて正常に復号される、更新するための手段を含む。さらに、本装置は、UEにアップリンク電力制御メッセージを送信するための手段であって、アップリンク電力制御メッセージのコンテンツが少なくともSIRターゲット値に基づき、SIRターゲット値が、ターゲット残差ブロック誤り率(BLER)に関連付けられる、送信するための手段を含む。
【００１３】
本開示の別の態様は、アップリンク専用トランスポートチャネル(DCH)上でユーザ機器(UE)からアップリンクデータパケットの少なくとも一部分を受信することであって、アップリンクデータパケットが圧縮される、受信することを行うためのコードを含むコンピュータ可読媒体を含むコンピュータプログラム製品を含む。さらに、コンピュータ可読媒体は、早期復号時間のセットにおいてアップリンクデータパケットを早期復号しようと試みるためのコードを含む。コンピュータ可読媒体は、UEに関連する信号対干渉比(SIR)ターゲット値を更新することであって、アップリンクデータパケットが、特定の復号試みにおいて正常に復号される、更新することを行うためのコードを含む。さらに、コンピュータ可読媒体は、UEにアップリンク電力制御メッセージを送信することであって、アップリンク電力制御メッセージのコンテンツが少なくともSIRターゲット値に基づき、SIRターゲット値が、ターゲット残差ブロック誤り率(BLER)に関連付けられる、送信することを行うためのコードを含む。
【００１４】
さらなる態様は、少なくとも1つのプロセッサと、少なくとも1つのプロセッサに結合されたメモリとを含むワイヤレス通信のための装置を含む。少なくとも1つのプロセッサは、アップリンク専用トランスポートチャネル(DCH)上でユーザ機器(UE)からアップリンクデータパケットの少なくとも一部分を受信することであって、アップリンクデータパケットが圧縮される、受信することを行うように構成される。さらに、少なくとも1つのプロセッサは、早期復号時間のセットにおいてアップリンクデータパケットを早期復号しようと試みることを行うように構成される。少なくとも1つのプロセッサは、UEに関連する信号対干渉比(SIR)ターゲット値を更新することであって、アップリンクデータパケットが、特定の復号試みにおいて正常に復号される、更新することを行うようにさらに構成される。さらに、少なくとも1つのプロセッサは、UEにアップリンク電力制御メッセージを送信することであって、アップリンク電力制御メッセージのコンテンツが少なくともSIRターゲット値に基づき、SIRターゲット値が、ターゲット残差ブロック誤り率(BLER)に関連付けられる、送信することを行うように構成される。
【００１５】
本開示のこれらの態様および他の態様は、以下の発明を実施するための形態を概観することによってより完全に理解されるであろう。
【図面の簡単な説明】
【００１６】
【図１】本開示による、例示的なワイヤレスシステムのブロック図である。
【図２】本開示の態様による、例示的な高速早期終了(FET)マネージャのブロック図である。
【図３】本開示の態様による、例示的なFET送信構成の概略図である。
【図４】本開示の態様による、ACKのための例示的なFET専用物理制御チャネル(FET_DPCCH)スロットフォーマットを示す図である。
【図５】本開示のFET-DPCCHに関連するいくつかの例示的なデータタイプ組合せのタイミング図である。
【図６】本開示の態様による、例示的な通信管理構成要素のブロック図である。
【図７】本開示の態様による、例示的なアウターループ制御(OLPC)復号試みを示す図である。
【図８】本開示の態様による、例示的なコンピュータ汎用デバイスのブロック図である。
【図９】本開示の態様による、UE中のFETのための例示的な方法を示す図である。
【図１０】本開示の態様による、ネットワークエンティティ中のワイヤレス通信および電力制御のための例示的な方法を示す図である。
【図１１】本明細書で説明する本開示の態様を含む処理システムを採用する装置のためのハードウェア実装形態の一例を示すブロック図である。
【図１２】本明細書で説明する本開示の態様を含む電気通信システムの一例を概念的に示すブロック図である。
【図１３】本明細書で説明する本開示の態様を含むアクセスネットワークの一例を示す概念図である。
【図１４】本明細書で説明する本開示の態様によって利用され得る、ユーザプレーンおよび制御プレーンの無線プロトコルアーキテクチャの一例を示す概念図である。
【図１５】本明細書で説明する本開示の態様を含む、電気通信システムにおいてUEと通信しているノードBの一例を概念的に示すブロック図である。
【発明を実施するための形態】
【００１７】
添付の図面に関して以下に記載する詳細な説明は、様々な構成の説明として意図されており、本明細書で説明する概念が実施され得る唯一の構成を表すことは意図されていない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１８】
本開示の態様によれば、信頼できるリンク効率を提供しながら、ボイスフレーム中でのUE送信機の早期パワーダウンのための方法および装置を提供する。そのような方法および装置は、ボイス呼(たとえば、WCDMA（登録商標）における専用チャネル(DCH)上での回線交換(CS)呼)中のUE送信機またはモデムの省電流化を向上させることができる。さらに、これらの方法および装置は、ネットワーク側の利益をもたらすことができる。たとえば、本開示の短縮されたUE送信機動作時間でネットワークにおける全体的なUEのシグナリングが低減され得るので、セル間または他の信号干渉が最小化され得る。関係するネットワーク利点では、UE送信における本低減によってより多くのUEが同時に信号を送信することが可能になり得るので、ネットワーク負荷およびユーザエクスペリエンスが最適化され得る。
【００１９】
図1を参照すると、一態様では、少なくともUE10とネットワークエンティティ12とを含む例示的なワイヤレス通信システム1は、エアインターフェース通信リンク14を介して通信し、UE10中の1つまたは複数の構成要素の高速早期終了(FET)を容易にするように構成され得る。ネットワークエンティティ12は、UE(たとえば、UE10)において(たとえば、ネットワークに)ワイヤレスネットワークアクセスを与えるために、ピコセル、リレー、ノードB、モバイルノードB、(たとえば、UE10とピアツーピアモードまたはアドホックモードで通信している)UE、またはUE10と通信することができる実質的にどんなタイプの構成要素でも含み得、またはさらにそれらのように呼ばれることがある。一態様では、UE10は、限定はしないが、送信機など、それの構成要素のうちの1つまたは複数をパワーダウンするように構成され得るFETマネージャ16を含み得る。さらに、ネットワークエンティティ12は、UEに関連するターゲット送信電力レベルを確立および/または更新するように構成され得る通信管理構成要素18を含み得る。
【００２０】
図2を参照すると、一態様では、ネットワークと通信し、たとえば、フレームが経過する前にそのような通信が正常に完了されたときに送信機22を迅速に電源切断するように構成され得るFETマネージャ16(図1)の例示的な構成要素および/または副構成要素を含んでいる例示的なブロック図が示されている。一態様では、FETマネージャ16は、ネットワークエンティティに送信するための1つまたは複数のアップリンクデータパケット31を圧縮するように構成され得るアップリンクデータ圧縮マネージャ20を含み得る。一態様では、FETマネージャ16は、n(たとえば、ncompression32)の率でアップリンクデータパケット31コンテンツを圧縮し、圧縮パケットをn回(たとえば、nrepitition33)コピーするか、または繰り返すように構成され得る。
【００２１】
一態様では、そのような圧縮は、パケット送信時間間隔(TTI)を短縮することによってアップリンクデータ圧縮マネージャ20によって達成され得る。たとえば、専用トランスポートチャネル(DTCH)パケットおよび専用制御チャネル(DCCH)パケットは、アップリンク中で2回繰り返され得、言い換えれば、nは2に等しい。たとえば、メディアアクセス制御(MAC)レイヤにおいて、(DTCHの場合は)20msごとにおよび(DCCHの場合は)40msごとに受信されるパケットが2回繰り返され得る。重複パケットは、元の1/2の送信時間間隔(TTI)値で構成された状態で物理レイヤ(PHY)にパスされる。たとえば、DTCHパケットは10msのTTIで構成され、DCCHパケットは20msのTTIで構成される。レートマッチングパラメータ、第1および第2のレイヤインターリーバパラメータなど、すべてのPHY固有のパラメータは、参照により本明細書に組み込まれる、第3世代パートナーシッププロジェクト(3GPP)仕様TS 25.212におけるレガシー仕様に従って、構成された10msおよび20msのTTI値から導出される。
【００２２】
さらなる態様では、上記の方式における繰り返し数nはまた、2回以上であり得、レートマッチングアルゴリズムに対する変更を通じて実現される。上記の例示的な場合では、PHYレイヤは、10msまたは20msのTTIパラメータでトランスポートチャネルを構成し得る。ただし、レートマッチングアルゴリズムは、より低い拡散率を適用し、より短い持続時間にわたってアップリンクデータパケット31を送るように変更され得る。たとえば、64の拡散率がパケットに対してレガシー3GPP TS 25.212仕様に従って計算される場合、新しいレートマッチングアルゴリズムは、16の拡散率を使用して4の圧縮率を獲得することになり、パケットを4回送る(n=4)。これにより、4回の繰り返しが可能になるが、パケットは、依然として同じ持続時間にわたる。さらに、一態様では、通信マネージャ21は、UE(たとえば、図1のUE10)と1つまたは複数のネットワークエンティティ(たとえば、図1のネットワークエンティティ12)との間で圧縮および/または反復パケット形式を介した通信を同期させるように構成され得るFETスケジューラ29を含み得る。
【００２３】
さらに、FETマネージャ16は、たとえば、UE送信機22のFETを可能にするために1つまたは複数のネットワークエンティティと通信するように構成され得る通信マネージャ21を含み得る。一態様では、送信機22は、ネットワークエンティティから1つまたは複数のアップリンク電力制御メッセージ24(たとえば、送信電力コマンド(TPC))を受信するように構成され得る送信電力コントローラ23を含み得、ネットワークエンティティはそれぞれ、送信機22の送信電力を上または下に調整するように送信電力コントローラ23に命令する1つまたは複数の電力調整ビットを受信および/または処理し得る。これらのアップリンク電力制御メッセージ24を使用して、送信電力コントローラ23は、送信機22の送信電力を間欠的に(たとえば、FETパケット復号周波数またはTPC受信周波数で)調整して、SIRターゲットをターゲッティングし得る。
【００２４】
さらに、送信機22は、送信機22を電源投入および/または電源切断するように構成され得る送信機電力コントローラ25を含み得る。本明細書の態様によれば、そのような電源切断は、フレーム中で従来のパケット転送と比較して早期に行われ得、したがって、本開示では高速早期終了(FET)と呼ぶ。一態様では、UE(たとえば、図1のUE10)が、アップロードデータパケット(たとえば、ネットワークエンティティにおける巡回冗長検査(CRC)パス)に対応する肯定応答メッセージ(ACK)を受信するとき、および/または、たとえば、ダウンリンクデータデコーダ30において、ネットワークエンティティからのダウンリンクパケット(CRCパス)を正常に受信し、復号するとき、そのような電源切断が行われ得る。さらに、通信マネージャ21は、ネットワークエンティティ(たとえば、図1のネットワークエンティティ12)から1つまたは複数のダウンリンクデータパケット34を受信するように構成され得る受信機26を含み得る。
【００２５】
さらに、通信マネージャ21は、1つまたは複数のチャネル(たとえば、制御チャネルおよび/またはデータトランスポートチャネル)のためのスロットフォーマットを与えるなど、それを構成するように構成され得るチャネル構成マネージャ27を含み得る。WCDMA（登録商標）+アップリンク設計では、新しいチャネル、すなわち、一例では、以下で説明するFET-DPCCHを介して受信されたダウンリンクデータパケット(たとえば、FETパケット)のためのACKメッセージとともに、トランスポートフォーマット組合せインジケータ(TFCI)情報が搬送される。したがって、TFCI情報がDPCCHチャネル中に含まれる必要がない。この目的で、DPCCHチャネルのアップリンクは、3GPP TS 25.211、セクション5.2.2.1、表2において定義されているスロットフォーマット1で構成される。
【００２６】
【表１】
2015521821.tif 000003
【００２７】
いくつかの前の仕様におけるスロットフォーマット1は、DPDCHが送信されていた場合、DPCCHチャネルのために構成され得ず、本強化はこの制約を除去することに留意されたい。
【００２８】
追加の態様では、通信マネージャ21は、1つまたは複数のネットワークエンティティとの通信のための1つまたは複数の通信チャネルを開始、確立、および/または場合によっては構成するように構成され得るチャネル確立構成要素28を含み得る。本開示の一態様では、チャネル確立構成要素28は、TFCI情報と、正しく受信されたダウンリンクデータパケット34に対応するACKメッセージとを中継し得るFET-DPCCHチャネルを確立し得る。一態様では、送信エンティティ(たとえば、ユーザ機器)によって送信され、受信エンティティ(たとえば、ネットワークエンティティ)において受信されるデータパケットのタイプを受信エンティティが迅速に識別するのを助けるために、新しいデータパケット伝送の開始時にTFCIの送信が開始し得る。そのような動作がデータパケットの早期復号を可能にする。さらに、TFCIは、受信エンティティがデータパケットを復号するのを支援するために複数回繰り返され、かつ/または送信され得る。一態様では、UEは、ダウンリンクデータパケット34が復号されるとすぐにダウンリンク送信を終了するために、ノードBなどのネットワークエンティティにACKメッセージを送信し得る。ACKメッセージは、新しいFET-DPCCHチャネルを介してTFCIとともに搬送される。
【００２９】
さらに、通信マネージャ21は、アップリンクデータ通信を終了し、したがって、FETを可能にするために、本明細書で説明する任意の1つまたは複数の構成要素および/または副構成要素を実装し得る。たとえば、送信機22は、非圧縮パケットの送信のために許可された持続時間(たとえば、データフレーム)内に複数回ネットワークエンティティ(たとえば、ネットワークエンティティ12)にトランスポートチャネル(たとえば、DCH)上でアップリンクデータパケット(たとえば、アップリンクデータパケット31)を送信するように構成され得る。さらに、受信機26は、ネットワークエンティティ(たとえば、ネットワークエンティティ12)からアップリンクデータパケット(たとえば、アップリンクデータパケット31)に対応するダウンリンク肯定応答メッセージを受信するように構成され得る。ACKメッセージの受信時に、通信マネージャ21は、通信チャネル上で持続時間の残余(たとえば、データフレームの残りの持続時間)の間送信電力を0に設定することによってアップリンク通信チャネル(たとえば、DCH)の送信を終了するように構成され得る。
【００３０】
本開示がハイブリッド自動再送要求(HARQ)とは顕著な差異をもたらすことを理解されたい。たとえば、HARQでは、ACKメッセージを受信し、新しいパケットを送信すると直ちに、送信が終了され得る。しかしながら、本開示は、通信チャネル上で持続時間の残余の間0ビット指示(たとえば、ゼロパワーで送信されるビット)を送信することによって、アップリンク通信チャネル(たとえば、DCH)の送信を終了する。さらに、非圧縮パケットの送信のために許可される次の持続時間(たとえば、次のフレーム)は後続のTTI境界まで開始しない。したがって、ACKメッセージが受信されると、および/またはパケットが復号されると、非圧縮パケットの送信のために許可された現在の持続時間(たとえば、現在のフレーム)の残りの部分および/または期間はゼロパワーのビットを含み得る。さらなる差異は、たとえば、本開示が、アップリンクデータパケットの相次ぐ(たとえば、連続する)送信繰り返しを提供するが、HARQでは、(たとえば、復号が各HARQ送信の終わりにのみ試みられ、送信が進行中の間には試みられないので)ACKの受信を可能にするために繰り返しが中間ギャップを容認し得ることであり得る。
【００３１】
限定はしないが、通信マネージャ21、送信機22、チャネル確立構成要素28、またはチャネル構成マネージャ27など、FETマネージャ16の1つまたは複数の構成要素は、さらに、フリーI/Q分岐上の別のチャネルと、たとえば、高速専用物理チャネル(HS-DPCCH)とFET-DPCCHチャネルをI/Q多重化することなどによって、別個のチャネライゼーションコードを使用してFET-DPCCHチャネルを多重化し得る。たとえば、上記の多重化を図3に関してより詳細に与える。
【００３２】
図3を参照すると、アップリンクTFCIとダウンリンクFET ACKとを搬送するためにFET-DPCCHを導入する送信機22(図2)の態様が開示される。たとえば、FET送信機22は、たとえば、限定はしないが、HS-DPCCH5など、フリーI/Q分岐上の別のチャネルとFET-DPCCH4チャネルをI/Q多重化することなどによって、別個のチャネルコード3を使用してFET-DPCCHチャネル4を多重化するように構成され得る。さらに、FET送信機22は、TFCIとACKとを含む多重化情報を変調するように構成され得る変調器6と、ネットワークエンティティ(たとえば、図1のネットワークエンティティ12)に少なくともTFCIとACKとを送信するように構成され得る送信アンテナ7とを含み得る。いくつかの態様では、図3中の送信機22の概略構成は、随意にまたは代替的に、高速早期終了マネージャ16(図1および図2)の任意の1つまたは複数の構成要素および/または副構成要素中に含まれるか、またはその一部であり得る。
【００３３】
追加の態様では、チャネル確立構成要素28および/またはチャネル構成マネージャ27は、FET-DPCCHのためのスロットフォーマットを構成、確立、および/または場合によっては判断し得る。たとえば、ペイロードおよび構成によっては、スロットフォーマット0、1、または2は、1つ、2つ、または3つのスロットを送信することを可能にする。FET-DPCCHは、HS-DPCCHチャネル(3GPP TS 25.211、セクション5.2.1.2)と比較的同様であり得るが、数個の顕著な差異を示し得る。たとえば、図4を参照すると、本開示は、FET-DPCCH13のためのスロットフォーマットを与える。FET-DPCCHチャネルでは、TFCI情報13がチャネル品質インジケータ(CQI)を置き換え、ダウンリンク回線交換(CS)トラフィック15のためのACKメッセージが高速トラフィックのためのACKメッセージを置き換える。別の重要な差異は、FET-DPCCHチャネルでは、TFCIを搬送する2つのスロットがACKを搬送するスロットに先行し得るということである。
【００３４】
さらに、一態様では、TFCI情報13は、HS-DPCCH中のCQIメッセージのために使用される符号化方式を使用して符号化され得る。したがって、TFCI情報13は、3GPP TS 25.212、バージョン11.1.0、セクション4.9.4において定義されている(20,5)リードマラーコードを使用して符号化され得る。さらに、TFCI情報13は、スロットフォーマット1を使用して変調され得、HS-DPCCHチャネル中のCQI情報を符号化するために使用される符号化方式であるリードマラー(20,5)パンクチャド符号に基づいて符号化され得る。拡張ボイスサービス(EVS)ボイストラフィックでは、最大10個のTFC組合せがあり得、シグナリングするために4ビットを必要とする。CQIのためのHS-DPCCHチャネルにおける符号化方式は、20ビットを使用して符号化された10ビットの情報を可能にする。この構成の下で、パケット交換(PS)データ無線ベアラは、拡張専用チャネル(E-DCH)に移動したと仮定され、したがって、(20,5)フォーマットは、TFCIを符号化するのに十分である。さらに、10ビットのTFCI情報をサポートする必要がある例示的な場合では、いくつかのレガシーシステムの場合のように、TFCIスロットは、DC-HSDPAシステム中の2つのキャリアについてのCQI情報をジョイント符号化するためにRel-8において定義されているように、(20,10)符号化フォーマット、すなわち、20のビットを使用して符号化された10ビットの情報で構成される。TFCIのCQIへのマッピングを以下に例示する。
【００３５】
【表２】
2015521821.tif 000004
【００３６】
さらに、本開示による生成されたおよび/または送信された否定応答(NACK)メッセージは、NACKスロット中に間欠送信(DTX)シンボルを送信することによって符号化され得る(下記参照)。さらに、本明細書で説明するACKメッセージは、以下で定義するように、すべて1のシーケンスを送信することによって符号化され得る。
【００３７】
【表３】
2015521821.tif 000005
【００３８】
さらに、図1に関して説明したように、ACKメッセージが繰り返して構成され得ることに留意されたい。動作中、この構成は、上位レイヤからシグナリングされるACK-nREPEAT構成パラメータによってシグナリングまたは制御され得る。
【００３９】
図5を参照すると、TFCIメッセージおよびACKメッセージが繰り返される数と場所とに依存し得る、FET-DPCCHチャネルの様々な構成が示されている。一態様では、TFCIは、上記で説明したスロットフォーマット1を使用して変調され得、これは、TFCI情報を符号化するために予約された20ビットを搬送する2つの連続するスロットを有することに等しい。2つのTFCIスロットのロケーションは、FET-DPCCHチャネルのために選択された構成に依存し得、これは、上位レイヤからシグナリングされ得る。一方、ACKメッセージは、スロットフォーマット0を使用して符号化され得、繰り返すように構成され得、1つ、2つ、または3つのスロットを占有し、この場合も、上位レイヤからシグナリングされる構成に依存し得る。FET-DPCCHチャネルの異なる構成の下で、いくつかのスロットはTFCIメッセージのために予約され、いくつかのスロットはACKのために予約され得る。
【００４０】
図5の例示的な非限定的な構成Aでは、TFCI情報は、第1の10msの無線フレーム中にスロット0および1中で送られ、スロット3および4中で繰り返され、再び、スロット15および16中で繰り返され、再び、スロット18および19中で繰り返される。ACK/NACKメッセージは、スロット2、5、8、および11中で、すなわち、最後のスロットを除くTFCIメッセージの後の3番目ごとのスロット中で送られる。NACKメッセージが、DTXシンボルだけからなり得、言い換えれば、単一のACKメッセージのみが、(早期復号が成功した場合)第1の10ms中で送信され得ることを想起されたい。
【００４１】
例示的な非限定的な構成Bでは、TFCI情報は、スロット0、1中で送られ、次いで、第2の10msの無線フレームの始めに、スロット15および16(第2の無線フレームの0および1)中で繰り返される。ACK/NACKメッセージのために予約されたスロットは、構成Aのスロットと同様である。
【００４２】
例示的な非限定的な構成Cでは、TFCIは、構成Aのように、スロット0、1中で送られ、スロット3および4中で繰り返される。ただし、この構成では、(第1の)ACKメッセージは、スロット2、5、6、7、8、9、10、11、または12のうちのいずれか1つの中で送信され得る。この構成でのACKメッセージは、上位レイヤからACK-nREPEATメッセージを通してシグナリングされたように、1回(繰り返しなし)、2回、または3回送信されるように構成され得る。ACKの繰り返しが構成される場合、第1のACKメッセージは、UEにおいて早期復号が成功したとき(スロット2、5、6、7、8、9、10、11、または12のうちで)最も早期の機会に送信され、その後、構成された繰り返しと同じ回数の繰り返しが行われ得る。たとえば、第1のACKメッセージがスロット12中に送られ、3回のACK繰り返しが構成される場合、ACKメッセージはスロット12、13、14(3回)中で送られる。
【００４３】
例示的な非限定的な構成Dは、Cと同様であるが、TFCIメッセージがスロット0、1、ならびに第2の無線フレーム中で15および16を占有し、これは、構成BにおけるTFCI構成と同様である。構成Cと同様に、ACKメッセージは、ACK-nREPEATシグナリングが示すかまたは要求する回数と同じ回数繰り返されるように構成され得る。
【００４４】
一態様では、図5の構成は、FETマネージャ16(図1および図2)に記憶され、かつ/またはそれによって実行され得る。さらに、FETマネージャ16が図1のUE10に関してここまで参照されたが、ネットワークエンティティ12が、FETマネージャ16の構成要素の一部または全部を同様に含み得ることを理解されたい。ただし、そのような反復では、アップリンクデータ圧縮マネージャ20はダウンリンクデータ圧縮マネージャであり得、ダウンリンクデータデコーダ30はアップリンクデータデコーダを備え得る。
【００４５】
図6を参照すると、本開示が企図するネットワークエンティティ(たとえば、図1のネットワークエンティティ12)の例示的な通信管理構成要素18が示されている。一態様では、通信構成要素18は、高速早期終了、およびそのようなFET対応UE(たとえば、図1のUE10)によって利用される通信仕様またはフォーマットのために構成されたUEなど、ワイヤレスシステム(たとえば、WCDMA（登録商標）システム)中の1つまたは複数のUEと通信するように構成され得る。一態様では、通信管理構成要素18は、UEから受信したアップリンクデータパケット31を復号するように構成され得、そのようなデータが正しく受信されたかどうかを確認し得るアップリンクデータデコーダ40を含み得る。
【００４６】
追加の態様では、通信管理構成要素18は、ダウンリンク通信を制御することと、アップリンク通信を受信することと、1つまたは複数のUEとのチャネルを確立することと、UEに関連する送信電力制御を管理することとを行うように構成され得るそれ自体の通信マネージャ41を含み得る。たとえば、通信マネージャ41は、データパケットおよび他の通信または信号を(それぞれ)送信および受信するように構成された、いくつかの例ではトランシーバを含み得る送信機42および/または受信機46を含み得る。さらに、通信マネージャ41は、1つまたは複数のUEとの、前に説明したFET-DPCCHチャネルを含む、限定はしないが、制御チャネルおよび/またはデータ送信チャネルなどの1つまたは複数の通信チャネルを確立するように構成され得るチャネル確立構成要素47を含み得る。
【００４７】
さらに、通信マネージャ41は、1つまたは複数のSIRターゲット44を計算し、生成し、および/またはそれを1つまたは複数のUEに送信するように構成され得るUE送信電力コントローラ43を含み得る。一態様では、各SIRターゲット44は、通信に関連するターゲットおよび/またはターゲット残差ブロック誤り率(BLER)45に少なくとも部分的に基づき得る。
【００４８】
一態様では、UE送信電力コントローラ43は、任意のトランスポートチャネルに対する復号試みが成功したときはいつでも(CRC合格)、またはパケットの重複ペアの第1のパケットに対する最終復号試みまでのすべての復号試みにおいて復号が失敗した場合(CRC不合格)、ネットワークエンティティにおいてSIRターゲット44を更新し得る。A、B、およびCとしてマーキングされたそのような複数の復号試みの例示的な構造およびタイミングを図7に示し、これは、1つまたは複数のパケットの複数の復号試みの態様を与える。たとえば、復号試みは、A、Bおよび/またはCとして示された1回または複数回行われ得る。
【００４９】
さらに、UE送信電力コントローラ43は、外部ループ電力コントローラ(OLPC)アルゴリズムを実装するOLPCを含み得る。OLPCアルゴリズムは、異なるシナリオの下でOLPCが更新されるときを制御し得、以下の非限定的な例示的な動作表に定義され得る。
【００５０】
【表４】
2015521821.tif 000006
【００５１】
上記のOLPCアルゴリズムは、早期終了が構成される任意のトランスポートチャネル(たとえば、DTCHまたはDCCH)に適用され得る。FETがトランスポートチャネルのために構成されない場合、OLPCアルゴリズムは、現在のシステムの場合のように、そのチャネルのための唯一の復号試みの結果に反応し得る。さらに、上記の例に、BLERターゲットが第1のパケットの終わりに強制される状況を示す。ただし、BLERターゲットはまた、何らかの他の構成された時刻に強制され得る。たとえば、早期復号が可能になると、OLPCは、復号試みが第1のパケット中に行われるのか、または第2のパケット中に行われるのかにかかわらず、早期復号試みのいずれかにおいてBLERターゲットを強制するように構成され得る。さらに、BLERターゲット自体ならびにそれがターゲッティングされる時刻の両方は、ネットワーク負荷またはUEパワーヘッドルームなどの条件に応じて異なり得る。
【００５２】
図8を参照すると、一態様では、コンピュータデバイス50は、特別にプログラムまたは構成されたコンピュータデバイスを含み得る。コンピュータデバイス50は、本明細書で説明する構成要素および機能のうちの1つまたは複数に関連する処理機能を実行するためのプロセッサ51を含む。プロセッサ51は、プロセッサまたはマルチコアプロセッサの単一のセットまたは複数のセットを含み得る。さらに、プロセッサ51は、統合処理システムおよび/または分散処理システムとして実装され得る。さらに、プロセッサ51は、DSDSデバイスにおけるスループットの改善に関係する、本明細書で説明する機能を実施するように構成され得る。コンピュータデバイス50が、本明細書で説明する1つまたは複数の構成要素および/または副構成要素を含むUE(たとえば、図1のUE10)および/またはネットワークエンティティ(たとえば、ネットワークエンティティ12)と同じまたは同様であり得ることを理解されたい。
【００５３】
コンピュータデバイス50は、本明細書で使用されるデータ、および/またはプロセッサ51によって実行されているアプリケーションのローカルバージョンを記憶するなどのためのメモリ52をさらに含む。メモリ52は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。加えて、メモリ52は、DSDSデバイスにおけるスループットの改善に関係する、本明細書で説明する機能を実行するためのデータおよび/またはコードもしくはコンピュータ可読命令を記憶するように構成され得る。
【００５４】
さらに、コンピュータデバイス50は、本明細書で説明するように、ハードウェア、ソフトウェア、およびサービスのうちの1つまたは複数を利用して、1つまたは複数のエンティティとの通信を確立しかつ維持することを可能にする通信構成要素53を含む。通信構成要素53は、コンピュータデバイス50上の構成要素間で通信信号を搬送し、ならびにコンピュータデバイス50と、ワイヤード通信ネットワークもしくはワイヤレス通信ネットワークにわたって位置するデバイス、および/またはコンピュータデバイス50に直列もしくはローカルに接続されたデバイスなどの外部デバイスとの間で通信信号を交換し得る。たとえば、通信構成要素53は、1つまたは複数のバスを含み得、外部デバイスとのインターフェースをとるように動作可能な、送信機および受信機にそれぞれ関連する送信チェーン構成要素および受信チェーン構成要素、またはトランシーバをさらに含み得る。
【００５５】
さらに、コンピュータデバイス50は、データストア54をさらに含み得、データストア54は、本明細書で説明する態様に関連して採用される情報、データベース、およびプログラムの大容量ストレージを実現する、ハードウェアおよび/またはソフトウェアの任意の適切な組合せであり得る。たとえば、データストア54は、本明細書で説明する態様に関係するアプリケーションおよびデータなど、プロセッサ51によって現在実行されていないアプリケーションおよびデータのためのデータリポジトリであり得る。
【００５６】
コンピュータデバイス50は、さらに、コンピュータデバイス50のユーザから入力を受信するように動作可能であり、ユーザへの提示のための出力を生成するようにさらに動作可能な、ユーザインターフェース構成要素55を含み得る。ユーザインターフェース構成要素55は、限定はしないが、キーボード、ナンバーパッド、マウス、タッチセンシティブディスプレイ、ナビゲーションキー、ファンクションキー、マイクロフォン、音声認識構成要素、ユーザからの入力を受信することが可能な任意の他の機構、またはそれらの任意の組合せを含む1つまたは複数の入力デバイスを含み得る。さらに、ユーザインターフェース構成要素55は、限定はしないが、ディスプレイ、スピーカー、触覚フィードバック機構、プリンタ、ユーザに出力を提示することが可能な任意の他の機構、またはそれらの任意の組合せを含む1つまたは複数の出力デバイスを含み得る。
【００５７】
さらに、UE(および/またはネットワークエンティティ)実装形態では、コンピュータデバイス50は、特別にプログラムされたコンピュータ可読命令もしくはコード、ファームウェア、ハードウェア、1つもしくは複数のプロセッサモジュール、またはそれらの何らかの組合せなどの中にFETマネージャ16を含み得る。代替または追加として、ネットワークエンティティ実装形態では、コンピュータデバイス50は、特別にプログラムされたコンピュータ可読命令もしくはコード、ファームウェア、ハードウェア、1つもしくは複数のプロセッサモジュール、またはそれらの何らかの組合せなどの中に通信管理構成要素18を含み得る。
【００５８】
図9に、たとえば、UE中でFETを実行するための例示的な方法6を示す。一態様では、ブロック60において、UEは、非限定的な例として、nの率(by a factor of n)でTTIを低減し、随意に圧縮データパケットを複数回(たとえば、n回)コピーすることによって、アップリンクデータパケットを圧縮し得る。たとえば、本明細書で説明するように、FETマネージャ16は、アップリンクデータパケット31を圧縮するようにアップリンクデータ圧縮マネージャ20(図2)を実行し得る。
【００５９】
さらに、ブロック62において、UEは、複数回(たとえば、最大n回)ネットワークエンティティにデータチャネル上でアップリンクデータパケットを送信し得る。たとえば、本明細書で説明するように、通信マネージャ21は、複数回(たとえば、nrepitition33)ネットワークエンティティ(たとえば、ネットワークエンティティ12)にデータチャネル(たとえば、DPDCH)上でアップリンクデータパケット31を送信するように送信機22(図2)を実行し得る。
【００６０】
さらに、ブロック64において、UEは、ネットワークエンティティから前に送信されたアップリンクデータパケットに対応するダウンリンク肯定応答メッセージを受信し得る。たとえば、本明細書で説明するように、通信マネージャ21は、ネットワークエンティティ12から以前に送信されたアップリンクデータパケット31に対応するダウンリンク肯定応答メッセージ(たとえば、ダウンリンクデータパケット34)を受信するように受信機26(図2)を実行し得る。
【００６１】
さらに、UEは、ブロック66において、ダウンリンク肯定応答メッセージを受信することに基づいてデータチャネル(たとえば、DPDCH)上でのアップリンク通信を終了し得る。たとえば、本明細書で説明するように、FETマネージャ16は、ダウンリンク肯定応答メッセージを受信することに基づいてデータチャネル上でのアップリンク通信を終了するように通信マネージャ21(図2)を実行し得る。
【００６２】
方法6のさらなる随意の態様では、UEは、新しいアップリンクチャネル(たとえば、FET-DPCCH)を確立し、データチャネル上でダウンリンクデータパケットを受信し、ダウンリンクデータパケットを正常に復号し、(たとえば、ダウンリンクデータパケットを受信し、ダウンリンクデータパケットを正常に復号することに基づいて、新しいアップリンクチャネル上で)ネットワークエンティティにダウンリンクデータパケットに対応するアップリンク肯定応答メッセージを送信し、かつ/またはアップリンク肯定応答メッセージを送信することに基づいて制御チャネル(たとえば、DPCCH)上でのアップリンク通信を終了し得る。
【００６３】
方法6のさらなる随意の態様、代替態様、または追加の態様は、ダウンリンク肯定応答メッセージを受信することに基づいて送信機を電源切断し、ダウンリンクデータパケットを正常に復号し、ユーザ機器に少なくともSIRターゲット値に基づいてネットワークエンティティによって判断されたユーザ機器の送信電力を調整するようにユーザ機器に命令する少なくとも1ビットを含むアップリンク電力制御メッセージを受信し、かつ/またはアップリンク電力制御メッセージに基づいてデータチャネルに対応するアップリンク送信電力を調整することを含み得る。
【００６４】
図10に、本開示による、ネットワークエンティティにおけるワイヤレス通信のための例示的な方法8の流れ図を示す。一態様では、ブロック80において、ネットワークエンティティは、データチャネル上でユーザ機器からアップリンクデータパケットの少なくとも一部分を受信し得る。さらに、受信されたデータパケットは圧縮され得る。たとえば、本明細書で説明するように、通信マネージャ41は、データチャネル上でUE(たとえば、UE10)からアップリンクデータパケット31の少なくとも一部分を受信するように受信機46(図6)を実行し得る。
【００６５】
さらに、ブロック81において、ネットワークエンティティは、早期復号周波数に従ってアップリンクデータパケットを早期復号しようと試み得、これは、随意に、ネットワークエンティティまたはネットワークエンティティと通信している別のエンティティもしくは構成要素が、ブロック82において、アップリンクデータパケットを正常に復号することにつながり得る。たとえば、本明細書で説明するように、通信管理構成要素18(図6)は、早期復号周波数に従ってアップリンクデータパケット31を早期復号しようと試みるようにアップリンクデータデコーダ40を実行し得る。
【００６６】
さらに、ブロック83において、ネットワークエンティティは、アップリンクデータパケットが正常に復号されているユーザ機器に関連する信号対干渉比(SIR)ターゲット値を更新し得る。たとえば、本明細書で説明するように、通信マネージャ41は、アップリンクデータパケット31が(たとえば、アップリンクデータデコーダ40によって)正常に復号されているUE10に関連するSIRターゲット値44を更新するようにUE送信電力コントローラ43(図6)を実行し得る。
【００６７】
さらに、ブロック84において、ネットワークエンティティは、その後、ユーザ機器にアップリンク電力制御メッセージを送信し得、アップリンク電力制御メッセージのコンテンツは少なくとも信号対干渉比ターゲット値に基づき、SIRターゲット値は、ターゲットBLERに関連付けられる。一態様では、ターゲットBLERおよび/またはBLERがターゲットにされる特定の復号試みのうちの少なくとも1つは、ネットワークエンティティにおいて測定されたアップリンク負荷およびユーザ機器パワーヘッドルームのうちの少なくとも1つに基づき得る。たとえば、本明細書で説明するように、通信マネージャ41は、UE10にアップリンク電力制御メッセージを送信するように送信機42(図6)を実行し得、アップリンク電力制御メッセージのコンテンツは少なくともSIRターゲット値44に基づき、SIRターゲット値44は、ターゲットBLER45に関連付けられる。
【００６８】
図11は、処理システム114を採用する装置100のためのハードウェア実装形態の一例を示すブロック図である。いくつかの態様では、本装置は、FETマネージャ16(図1および図2)と通信マネージャ構成要素18(図1および図6)との一方または両方を含み得る。たとえば、UE(たとえば、UE10)として実装されるか、またはその中に実装される処理システム114の一態様では、処理システム114は、高速早期終了マネージャ16のみを含み得る。ネットワークエンティティ(たとえば、ネットワークエンティティ12)として実装されるか、またはその中に実装される処理システム114の他の態様では、処理システム114は、通信マネージャ構成要素18のみを含み得る。さらに、高速早期終了マネージャ16および/または通信マネージャ18は、プロセッサ(たとえば、プロセッサ104および/または処理システム114)によって実装され得る。さらに、これらの例では、処理システム114は、バス102によって概略的に表されるバスアーキテクチャを用いて実装され得る。バス102は、処理システム114の特定の適用例および全体的な設計制約に応じて、任意の数の相互接続バスおよびブリッジを含み得る。バス102は、プロセッサ104によって概略的に表される1つまたは複数のプロセッサ、およびコンピュータ可読媒体106によって概略的に表されるコンピュータ可読媒体を含む様々な回路を互いにリンクさせる。バス102は、タイミングソース、周辺機器、電圧調整器、および電力管理回路など、様々な他の回路もリンクし得、これらの回路は当技術分野においてよく知られており、したがって、これ以上説明しない。バスインターフェース108は、バス102とトランシーバ110との間のインターフェースを与える。トランシーバ110は、送信媒体を介して様々な他の装置と通信するための手段を与える。装置の性質に応じて、ユーザインターフェース112(たとえば、キーパッド、ディスプレイ、スピーカー、マイクロフォン、ジョイスティックなど)も設けられ得る。
【００６９】
プロセッサ104は、バス102の管理、およびコンピュータ可読媒体106に記憶されたソフトウェアの実行を含む全体的な処理を受け持つ。ソフトウェアは、プロセッサ104によって実行されたとき、任意の特定の装置の以下で説明する様々な機能を処理システム114に実行させる。コンピュータ可読媒体106は、ソフトウェアを実行するときにプロセッサ104によって操作されるデータを記憶するためにも使用され得る。
【００７０】
本開示全体にわたって提示される様々な概念は、広範な電気通信システム、ネットワークアーキテクチャ、および通信規格にわたって実装され得る。限定はしないが、例として、図12に示される本開示の態様は、W-CDMA（登録商標）エアインターフェースを採用するUMTSシステム200を参照して示される。UMTSネットワークは、コアネットワーク(CN)204、通信マネージャ構成要素18(図1)を含むネットワークエンティティ12と同じまたは同様であり得るUMTS地上波無線アクセスネットワーク(UTRAN)202、および高速早期終了マネージャ16(図1)を含むUE10と同じまたは同様であり得るユーザ機器(UE)210の3つの相互作用ドメインを含む。この例では、UTRAN202は、電話、ビデオ、データ、メッセージング、放送、および/または他のサービスを含む様々なワイヤレスサービスを提供する。UTRAN 202は、無線ネットワークコントローラ(RNC)206などのそれぞれのRNCによって各々制御される、無線ネットワークサブシステム(RNS)207などの複数のRNSを含み得る。ここで、UTRAN202は、本明細書で説明するRNC206およびRNS207に加えて、任意の数のRNC206およびRNS207を含み得る。RNC206は、とりわけ、RNS207内の無線リソースを割り当て、再構成し、かつ解放することを受け持つ装置である。RNC206は、任意の適切なトランスポートネットワークを使用する、直接の物理接続、仮想ネットワークなど様々なタイプのインターフェースを介して、UTRAN202中の他のRNC(図示せず)に相互接続され得る。
【００７１】
UE210とノードB208との間の通信は、物理(PHY)レイヤおよび媒体アクセス制御(MAC)レイヤを含むものと見なされ得る。さらに、それぞれのノードB208によるUE210とRNC206との間の通信は、無線リソース制御(RRC)レイヤを含むものと見なされ得る。本明細書では、PHYレイヤは、レイヤ1と見なされ、MACレイヤは、レイヤ2と見なされ、かつRRCレイヤは、レイヤ3と見なされ得る。以下の本明細書における情報は、参照により本明細書に組み込まれるRRC Protocol Specification、3GPP TS 25.331 v9.1.0に述べられている用語を使用する。
【００７２】
RNS207によってカバーされる地理的領域は、いくつかのセルに分割され得、無線トランシーバ装置が各セルをサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS207に3つのノードB208が示されているが、RNS207は、任意の数のワイヤレスノードBを含み得る。ノードB208は、UE210を含む任意の数のUEにCN204へのワイヤレスアクセスポイントを与える。UE210は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスを含むモバイル装置であり得る。UE10はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアントと呼ばれるか、または他の何らかの適切な用語で呼ばれることもある。UMTSシステムでは、UE210は、ネットワークへのユーザの加入情報を含む汎用加入者識別モジュール(USIM)211をさらに含み得る。説明のために、1つのUE210がいくつかのノードB208と通信しているように示されている。順方向リンクとも呼ばれるDLは、ノードB208からUE210への通信リンクを指し、かつ逆方向リンクとも呼ばれるULは、UE210からノードB208への通信リンクを指す。
【００７３】
CN204は、UTRAN202など1つまたは複数のアクセスネットワークとインターフェースする。図示のように、CN204は、GSM（登録商標）コアネットワークである。しかしながら、当業者が認識するように、GSM（登録商標）ネットワーク以外のタイプのCNへのアクセスをUEに提供するために、本開示全体にわたって提示される様々な概念を、RANまたは他の適切なアクセスネットワークにおいて実装され得る。
【００７４】
CN204は、回線交換(CS)ドメインとパケット交換(PS)ドメインとを含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)とゲートウェイGPRSサポートノード(GGSN)とを含む。EIR、HLR、VLR、およびAuCのようないくつかのネットワーク要素は、回線交換ドメインとパケット交換ドメインの両方によって共有され得る。図示の例では、CN204は、MSC212およびGMSC214によって回線交換サービスをサポートする。いくつかの適用例では、GMSC214は、メディアゲートウェイ(MGW)とも呼ばれることがある。RNC206などの1つまたは複数のRNCがMSC212に接続され得る。MSC212は、呼設定、呼ルーティング、およびUEモビリティ機能を制御する装置である。MSC212は、UEがMSC212のカバレッジエリア内にある間に加入者関連の情報を格納するVLRも含む。GMSC214は、UEが回線交換ネットワーク216にアクセスするためのゲートウェイを、MSC212を通じて提供する。GMSC214は、特定のユーザが加入したサービスの詳細を反映するデータのような加入者データを格納する、ホームロケーションレジスタ(HLR)215を含む。HLRは、加入者に固有の認証データを格納する、認証センター(AuC)とも関連付けられている。特定のUEについて、呼が受信されると、GMSC214は、UEの位置を決定するためにHLR215に問い合わせ、その位置をサービスする特定のMSCに呼を転送する。
【００７５】
CN204はまた、サービングGPRSサポートノード(SGSN)218およびゲートウェイGPRSサポートノード(GGSN)220によって、パケットデータサービスをサポートする。汎用パケット無線サービスを表すGPRSは、標準の回線交換データサービスで可能なものよりも速い速度でパケットデータサービスを提供するよう設計されている。GGSN220は、パケットベースネットワーク222へのUTRAN202の接続を提供する。パケットベースネットワーク222は、インターネット、プライベートデータネットワーク、または何らかの他の適切なパケットベースネットワークであり得る。GGSN220の主要機能は、パケットベースネットワーク接続をUE210に提供することである。データパケットは、MSC212が回線交換ドメイン内で実行する機能と同じ機能をパケットベースドメイン内で主に実行するSGSN218を介して、GGSN220とUE210との間で転送され得る。
【００７６】
UMTSのエアインターフェースは、スペクトラム拡散直接シーケンス符号分割多元接続(DS-CDMA)システムを利用し得る。スペクトラム拡散DS-CDMAは、チップと呼ばれる一連の疑似ランダムビットとの乗算によって、ユーザデータを拡散させる。UMTSの「広帯域」W-CDMA（登録商標）エアインターフェースは、そのような直接シーケンススペクトラム拡散技術に基づいており、さらに周波数分割複信(FDD)を必要とする。FDDは、ノードB208とUE210との間のULおよびDLに異なる搬送周波数を使用する。DS-CDMAを利用し、時分割複信(TDD)を使用するUMTSの別のエアインターフェースは、TD-SCDMAエアインターフェースである。本明細書で説明される様々な例は、W-CDMA（登録商標）エアインターフェースを指し得るが、基礎をなす原理はTD-SCDMAエアインターフェースに等しく適用可能であり得ることを当業者は認識されよう。
【００７７】
HSPAエアインターフェースは、スループットの向上および遅延の低減を容易にする、3G/W-CDMA（登録商標）エアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００７８】
HSDPAは、それのトランスポートチャネルとして高速ダウンリンク共有チャネル(HS-DSCH)を利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００７９】
これらの物理チャネルの中でも、HS-DPCCHは、対応するパケット送信の復号が成功したかどうかを示すための、HARQ ACK/NACKシグナリングをアップリンク上で搬送する。すなわち、ダウンリンクに関して、UE210は、ダウンリンク上のパケットを正常に復号したかどうかを示すために、HS-DPCCHを通じてフィードバックをノードB208に与える。
【００８０】
HS-DPCCHはさらに、変調方式および符号化方式の選択、ならびにプリコーディングの重みの選択に関して、ノードB208が正しい決定を行うのを支援するための、UE210からのフィードバックシグナリングを含み、このフィードバックシグナリングはCQIおよびPCIを含む。
【００８１】
「HSPA Evolved」またはHSPA+は、MIMOおよび64-QAMを含むHSPA規格の進化形であり、スループットの増大およびパフォーマンスの向上を可能にする。すなわち、本開示の一態様では、ノードB208および/またはUE210は、MIMO技術をサポートする複数のアンテナを有し得る。MIMO技術の使用により、ノードB208は空間領域を活用して、空間多重化、ビームフォーミング、および送信ダイバーシティをサポートすることが可能になる。
【００８２】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００８３】
空間多重化は、同じ周波数で同時に様々なデータストリームを送信するために使用され得る。データストリームは、データレートを上げるために単一のUE210に送信され得、または全体的なシステム容量を拡大するために複数のUE210に送信され得る。これは、各データストリームを空間的にプリコーディングし、次いで空間的にプリコーディングされた各ストリームをダウンリンク上で異なる送信アンテナを介して送信することによって達成される。空間的にプリコーディングされたデータストリームは、様々な空間シグネチャを伴いUE210に到着し、これによりUE210の各々は、当該UE210に向けられた1つまたは複数のデータストリームを復元することが可能になる。アップリンク上では、各UE210は、1つまたは複数の空間的にプリコーディングされたデータストリームを送信し得、これによりノードB208は空間的にプリコーディングされた各データストリームのソースを識別することが可能になる。
【００８４】
空間多重化は、チャネル状態が良好なときに使用され得る。チャネル状態がさほど好ましくないときは、送信エネルギーを1つもしくは複数の方向に集中させるために、またはチャネルの特性に基づいて送信を改善するために、ビームフォーミングが使用され得る。これは、複数のアンテナを通じて送信するデータストリームを空間的にプリコーディングすることによって達成され得る。セルの端において良好なカバレージを達成するために、シングルストリームビームフォーミング伝送が送信ダイバーシティと組み合わせて使用され得る。
【００８５】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００８６】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００８７】
図13を参照すると、UTRANアーキテクチャにおけるアクセスネットワーク300が示されている。多元接続ワイヤレス通信システムは、セル302、304、および306を含む複数のセルラー領域(セル)を含み、セルラー領域の各々は、1つまたは複数のセクタを含み得、セルラー領域の各々は、通信マネージャ構成要素18(図1)を含むネットワークエンティティ12と同じまたは同様であり得る。複数のセクタはアンテナのグループによって形成され得、各アンテナがセルの一部分にあるUEとの通信を受け持つ。たとえば、セル302において、アンテナグループ312、314、および316は、各々異なるセクタに対応し得る。セル304において、アンテナグループ318、320、および322は、各々異なるセクタに対応する。セル306において、アンテナグループ324、326、および328は、各々異なるセクタに対応する。セル302、304、および306は、各セル302、304、または306の1つまたは複数のセクタと通信していることがある、いくつかのワイヤレス通信デバイス、たとえば、UEを含み得る。たとえば、UE330および332は、ノードB342と通信していていることがあり、UE334および336は、ノードB344と通信していることがあり、かつUE338および340は、ノードB346と通信していることがある。ここで、各ノードB342、344、346は、それぞれのセル302、304、および306の中のすべてのUE330、332、334、336、338、340に、CN204(図12参照)へのアクセスポイントを与えるように構成され、UEの各々は、高速早期終了マネージャ16(図1)を含むUE10と同じまたは同様であり得る。
【００８８】
UE334がセル304中の図示された位置からセル306に移動するとき、サービングセル変更(SCC)またはハンドオーバが生じて、UE334との通信が、ソースセルと呼ばれることがあるセル304からターゲットセルと呼ばれることがあるセル306に移行し得る。ハンドオーバ手順の管理は、UE334において、それぞれのセルに対応するノードBにおいて、無線ネットワークコントローラ206(図12参照)において、またはワイヤレスネットワーク中の別の適切なノードにおいて行われ得る。たとえば、ソースセル304との呼の間、または任意の他の時間において、UE334は、ソースセル304の様々なパラメータ、ならびに、セル306および302などの近隣セルの様々なパラメータを監視し得る。さらに、これらのパラメータの品質に応じて、UE334は、近隣セルのうちの1つまたは複数との通信を維持し得る。この期間中に、UE334は、UE334が同時に接続されるセルのリストであるアクティブセットを維持し得る(すなわち、ダウンリンク専用物理チャネルDPCHまたはフラクショナルダウンリンク専用物理チャネルF-DPCHをUE334に現在割り当てているUTRAセルが、アクティブセットを構成し得る)。
【００８９】
アクセスネットワーク300によって使用される変調方式および多元接続方式は、導入されている具体的な電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA（登録商標）)およびTD-SCDMAなどのCDMAの他の変形形態を用いるUniversal Terrestrial Radio Access(UTRA)、TDMAを用いるモバイル通信用グローバルシステム(GSM（登録商標）)、ならびにOFDMAを用いるEvolved UTRA(E-UTRA)、Ultra Mobile Broadband(UMB)、IEEE 802.11(Wi-Fi)、IEEE 802.16(WiMAX)、IEEE 802.20、およびFlash-OFDMであり得る。UTRA、E-UTRA、UMTS、LTE、LTE Advanced、およびGSM（登録商標）は、3GPP団体による文書に記述されている。CDMA2000およびUMBは、3GPP2団体による文書に記述されている。採用される実際のワイヤレス通信規格および多元接続技術は、特定の適用例およびシステムに課される全体的な設計制約に依存することになる。
【００９０】
無線プロトコルアーキテクチャは、特定の適用例に応じて様々な形態をとり得る。次に、図4を参照しながらHSPAシステムについての一例を提示する。
【００９１】
図14を参照すると、例示的な無線プロトコルアーキテクチャ400は、ユーザ機器(UE)またはノードB/基地局のユーザプレーン402および制御プレーン404に関係する。たとえば、アーキテクチャ400は、UE10(図1)などのUE中に含まれ得る。UEおよびノードBの無線プロトコルアーキテクチャ400は、レイヤ1 406、レイヤ2 408、およびレイヤ3 410の3つのレイヤで示されている。レイヤ1 406は最下レイヤであり、様々な物理層の信号処理機能を実装する。したがって、レイヤ1 406は、物理レイヤ407を含む。レイヤ2(L2レイヤ)408は、物理レイヤ407の上にあり、物理レイヤ407を通じたUEとノードBとの間のリンクを受け持つ。レイヤ3(L3レイヤ)410は、無線リソース制御(RRC)サブレイヤ415を含む。RRCサブレイヤ415は、UEとUTRANとの間のレイヤ3の制御プレーンシグナリングを処理する。
【００９２】
ユーザプレーンでは、L2レイヤ408は、媒体アクセス制御(MAC)サブレイヤ409、無線リンク制御(RLC)サブレイヤ411、およびパケットデータコンバージェンスプロトコル(PDCP)サブレイヤ413を含み、これらはネットワーク側のノードBで終端される。図示されていないが、UEは、ネットワーク側のPDNゲートウェイで終端されるネットワークレイヤ(たとえばIPレイヤ)と、接続の他端(たとえば、遠端のUE、サーバなど)で終端されるアプリケーションレイヤとを含めて、L2レイヤ408の上にいくつかの上位レイヤを有し得る。
【００９３】
PDCPサブレイヤ413は、異なる無線ベアラと論理チャネルとの間の多重化を行う。PDCPサブレイヤ413はまた、無線送信のオーバーヘッドを低減するための上位レイヤデータパケットのヘッダ圧縮、データパケットの暗号化によるセキュリティ、および、ノードB間のUEのハンドオーバのサポートを実現する。RLCサブレイヤ411は、上位レイヤのデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ409は、論理チャネルとトランスポートチャネルとの間の多重化を行う。MACサブレイヤ409はまた、1つのセルの中の様々な無線リソース(たとえばリソースブロック)の複数のUEへの割り当てを受け持つ。MACサブレイヤ409はまた、HARQ動作を受け持つ。
【００９４】
図15は、UE550と通信しているノードB510のブロック図であり、そこで、ノードB510は、図12中のノードB208または図1のネットワークエンティティ12であり得、UE550は、図12中のUE210または図1のUE10であり得る。ダウンリンク通信では、送信プロセッサ520は、データソース512からデータを受信し、コントローラ/プロセッサ540から制御信号を受信し得る。送信プロセッサ520は、データ信号および制御信号ならびに基準信号(たとえばパイロット信号)のための様々な信号処理機能を提供する。たとえば、送信プロセッサ520は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を提供し得る。チャネルプロセッサ544からのチャネル推定値は、コントローラ/プロセッサ540によって送信プロセッサ520のためのコーディング方式、変調方式、拡散方式、および/またはスクランブリング方式を判断するために使用され得る。これらのチャネル推定値は、UE550によって送信される基準信号から導出され得るか、またはUE550からのフィードバックから導出され得る。送信プロセッサ520によって生成されたシンボルは、フレーム構造を作成するために、送信フレームプロセッサ530に与えられる。送信フレームプロセッサ530は、コントローラ/プロセッサ540からの情報とシンボルとを多重化することによって、このフレーム構造を作成し、一連のフレームを生じる。これらフレームは、次いで、送信機532に与えられ、送信機532は、アンテナ534を通じたワイヤレス媒体によるダウンリンク送信のために、増幅、フィルタリング、およびフレームのキャリア上への変調を含む、様々な信号調整機能を提供する。アンテナ534は、たとえば、ビームステアリング双方向適応アンテナアレイまたは他の同様のビーム技術を含む、1つまたは複数のアンテナを含み得る。
【００９５】
UE550において、受信機554は、アンテナ552を通じてダウンリンク送信を受信し、その送信を処理してキャリア上に変調された情報を復元する。受信機554によって復元された情報は、受信フレームプロセッサ560に与えられ、受信フレームプロセッサ560は、各フレームを解析し、フレームからの情報をチャネルプロセッサ594に提供し、データ信号、制御信号、および基準信号を受信プロセッサ570に提供する。受信プロセッサ570は次いで、ノードB510中の送信プロセッサ520によって実行される処理の逆を実行する。より詳細には、受信プロセッサ570は、シンボルを逆スクランブルおよび逆拡散し、次いで変調方式に基づいて、ノードB510によって送信された、最も可能性の高い信号コンステレーション点を求める。これらの軟判定は、チャネルプロセッサ594によって計算されるチャネル推定値に基づき得る。そして軟判定は、データ信号、制御信号、および基準信号を復元するために、復号されてデインターリーブされる。そして、フレームの復号が成功したかどうか判断するために、CRCコードが確認される。次いで、復号に成功したフレームによって搬送されるデータがデータシンク572に与えられ、データシンク572は、UE550および/または様々なユーザインターフェース(たとえばディスプレイ)において実行されているアプリケーションを表す。復号に成功したフレームが搬送する制御信号は、コントローラ/プロセッサ590に与えられる。受信プロセッサ570によるフレームの復号が失敗すると、コントローラ/プロセッサ590はまた、確認応答(ACK)プロトコルおよび/または否定応答(NACK)プロトコルを使用して、そうしたフレームの再送信要求をサポートし得る。
【００９６】
アップリンクでは、データソース578からのデータおよびコントローラ/プロセッサ590からの制御信号が、送信プロセッサ580に与えられる。データソース578は、UE550で実行されているアプリケーションおよび様々なユーザインターフェース(たとえばキーボード)を表し得る。ノードB510によるダウンリンク送信に関して説明される機能と同様に、送信プロセッサ580は、CRCコード、FECを容易にするための符号化およびインターリービング、信号コンステレーションへのマッピング、OVSFによる拡散、および、一連のシンボルを生成するためのスクランブリングを含む、様々な信号処理機能を提供する。ノードB510によって送信される基準信号から、または、ノードB510によって送信されるミッドアンブル中に含まれるフィードバックから、チャネルプロセッサ594によって導出されるチャネル推定値が、適切な符号化方式、変調方式、拡散方式、および/またはスクランブリング方式を選択するために使用され得る。送信プロセッサ580によって生成されたシンボルは、フレーム構造を作成するために、送信フレームプロセッサ582に与えられる。送信フレームプロセッサ582は、コントローラ/プロセッサ590からの情報とシンボルとを多重化することによって、このフレーム構造を作成し、一連のフレームが得られる。次いでこのフレームは送信機556に与えられ、送信機556は、アンテナ552を通じたワイヤレス媒体によるアップリンク送信のために、増幅、フィルタリング、およびフレームのキャリア上への変調を含む、様々な信号調整機能を提供する。
【００９７】
アップリンク送信は、UE550での受信機機能に関して記載された方式と同様の方式で、ノードB510で処理される。受信機535は、アンテナ534を通じてアップリンク送信を受信し、その送信を処理してキャリア上へ変調されている情報を復元する。受信機535によって復元された情報は、受信フレームプロセッサ536に与えられ、受信フレームプロセッサ536は、各フレームを解析し、フレームからの情報をチャネルプロセッサ544に提供し、データ信号、制御信号、および基準信号を受信プロセッサ538に提供する。受信プロセッサ538は、UE550中の送信プロセッサ580によって実行される処理の逆を実行する。次いで、復号に成功したフレームによって搬送されるデータ信号および制御信号が、データシンク539およびコントローラ/プロセッサにそれぞれ与えられ得る。フレームの一部が、受信プロセッサによる復号に失敗すると、コントローラ/プロセッサ540はまた、確認応答(ACK)プロトコルおよび/または否定応答(NACK)プロトコルを使用して、そうしたフレームの再送信要求をサポートし得る。
【００９８】
コントローラ/プロセッサ540および590は、それぞれノードB510およびUE550における動作を指示するために使用され得る。たとえば、コントローラ/プロセッサ540および590は、タイミング、周辺インターフェース、電圧調整、電力管理、および他の制御機能を含む、様々な機能を提供し得る。メモリ542および592のコンピュータ可読媒体は、それぞれ、ノードB510およびUE550のためのデータおよびソフトウェアを記憶し得る。ノードB510におけるスケジューラ/プロセッサ546は、リソースをUEに割り当て、UEのダウンリンク送信および/またはアップリンク送信をスケジューリングするために使用され得る。
【００９９】
W-CDMA（登録商標）システムに関して電気通信システムのいくつかの態様を提示した。当業者なら容易に諒解するように、本開示全体にわたって説明した様々な態様は、他の通信システム、ネットワークアーキテクチャおよび通信規格に拡張され得る。
【０１００】
例として、様々な態様は、TD-SCDMA、高速ダウンリンクパケットアクセス(HSDPA)、高速アップリンクパケットアクセス(HSUPA)、高速パケットアクセスプラス(HSPA+)およびTD-CDMAなどの他のUMTSに拡張され得る。様々な態様は、(FDD、TDD、または両方のモードの)ロングタームエボリューション(LTE)、(FDD、TDD、または両方のモードの)LTE-Advanced(LTE-A)、CDMA2000、エボリューションデータオプティマイズド(EV-DO)、ウルトラモバイルブロードバンド(UMB)、IEEE802.11(Wi-Fi)、IEEE 802.16(WiMAX)、IEEE802.20、ウルトラワイドバンド(UWB)、Bluetooth（登録商標）、および/またはその他の好適なシステムを採用するシステムにやはり拡張され得る。採用される実際の遠隔通信規格、ネットワークアーキテクチャ、および/または通信規格は、具体的な用途およびシステム全体に課される設計制約に依存することになる。
【０１０１】
本開示の様々な態様によれば、要素または要素の一部分または要素の組合せは、1つまたは複数のプロセッサを含む「処理システム」を用いて実装され得る。プロセッサの例として、マイクロプロセッサ、マイクロコントローラ、デジタルシグナルプロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味すると広く解釈されたい。ソフトウェアはコンピュータ可読媒体上に常駐し得る。コンピュータ可読媒体は、非一時的コンピュータ可読媒体であり得る。非一時的コンピュータ可読媒体は、例として、磁気記憶デバイス(たとえば、ハードディスク、フロッピー（登録商標）ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスしかつ読み取ることができるソフトウェアおよび/または命令を記憶するための任意の他の適切な媒体を含む。また、コンピュータ可読媒体は、例として、搬送波、伝送路、ならびに、コンピュータがアクセスしかつ読み取ることができるソフトウェアおよび/または命令を送信するための任意の他の適切な媒体も含み得る。コンピュータ可読媒体は、処理システム中に常駐し得、
処理システムの外に常駐し得、または処理システムを含む複数のエンティティにわたって分散され得る。コンピュータ可読媒体は、コンピュータプログラム製品で具現化され得る。例として、コンピュータプログラム製品は、パッケージング材料内のコンピュータ可読媒体を含み得る。当業者なら、特定の適用例およびシステム全体に課される全体的な設計制約に応じて、どのようにしたら本開示全体にわたって提示する説明した機能を最善の形で実装することができるかを認識されよう。
【０１０２】
開示した方法中のステップの特定の順序または階層は例示的なプロセスの一例であることを理解されたい。設計上の選好に基づいて、方法におけるステップの特定の順序または階層は再構成可能であることを理解されたい。添付の方法クレームは、様々なステップの要素を例示的な順序で提示したものであり、それらの請求項に特に記載されていない限り、提示された特定の順序または階層に限定されるものではない。
【０１０３】
上記の説明は、本明細書に記載された様々な態様をいかなる当業者でも実施することを可能にするために提供した。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、bまたはcのうちの少なくとも1つ」は、「a」、「b」、「c」、「aおよびb」、「aおよびc」、「bおよびc」、および「a、bおよびc」を含むことが意図されている。当業者が知っているか、または後に知ることになる、本開示全体にわたって説明された様々な態様の要素と構造的にかつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【０１０４】
1  ワイヤレス通信システム
6  変調器
7  送信アンテナ
10  UE
12  ネットワークエンティティ
13  TFCI情報
14  エアインターフェース通信リンク
15  ダウンリンク回線交換(CS)トラフィック
16  FETマネージャ
16  高速早期終了マネージャ
18  通信管理構成要素
18  通信構成要素
18  通信マネージャ構成要素
18  通信マネージャ
20  アップリンクデータ圧縮マネージャ
21  通信マネージャ
22  送信機
22  UE送信機
22  FET送信機
23  送信電力コントローラ
24  アップリンク電力制御メッセージ
25  送信機電力コントローラ
26  受信機
27  チャネル構成マネージャ
28  チャネル確立構成要素
29  FETスケジューラ
30  ダウンリンクデータデコーダ
31  アップリンクデータパケット
32  ncompression
33  nrepitition
34  ダウンリンクデータパケット
40  アップリンクデータデコーダ
41  通信マネージャ
42  送信機
43  UE送信電力コントローラ
44  SIRターゲット
44  SIRターゲット値
45  ターゲットおよび/またはターゲット残差ブロック誤り率(BLER)
45  ターゲットBLER
46  受信機
47  チャネル確立構成要素
50  コンピュータデバイス
51  プロセッサ
52  メモリ
53  通信構成要素
54  データストア
55  ユーザインターフェース構成要素
100  装置
102  バス
104  プロセッサ
106  コンピュータ可読媒体
108  バスインターフェース
110  トランシーバ
112  ユーザインターフェース
114  処理システム
200  UMTSシステム
202  UMTS地上波無線アクセスネットワーク(UTRAN)
202  UTRAN
204  コアネットワーク(CN)
204  CN
206  無線ネットワークコントローラ(RNC)
206  RNC
206  無線ネットワークコントローラ
207  無線ネットワークサブシステム(RNS)
207  RNS
208  ノードB
210  ユーザ機器(UE)
210  UE
211  汎用加入者識別モジュール(USIM)
212  MSC
214  GMSC
215  ホームロケーションレジスタ(HLR)
215  HLR
216  回線交換ネットワーク
218  サービングGPRSサポートノード(SGSN)
218  SGSN
220  ゲートウェイGPRSサポートノード(GGSN)
220  GGSN
222  パケットベースネットワーク
300  アクセスネットワーク
302  セル
304  セル
304  ソースセル
306  セル
312  アンテナグループ
314  アンテナグループ
316  アンテナグループ
318  アンテナグループ
320  アンテナグループ
322  アンテナグループ
324  アンテナグループ
326  アンテナグループ
328  アンテナグループ
330  UE
332  UE
334  UE
336  UE
338  UE
340  UE
342  ノードB
344  ノードB
346  ノードB
400  無線プロトコルアーキテクチャ
400  アーキテクチャ
402  ユーザプレーン
404  制御プレーン
406  レイヤ1
407  物理レイヤ
408  レイヤ2
408  レイヤ2(L2レイヤ)
408  L2レイヤ
409  媒体アクセス制御(MAC)サブレイヤ
409  MACサブレイヤ
410  レイヤ3
410  レイヤ3(L3レイヤ)
411  無線リンク制御(RLC)サブレイヤ
411  RLCサブレイヤ
413  パケットデータコンバージェンスプロトコル(PDCP)サブレイヤ
413  PDCPサブレイヤ
415  無線リソース制御(RRC)サブレイヤ
415  RRCサブレイヤ
510  ノードB
512  データソース
520  送信プロセッサ
530  送信フレームプロセッサ
532  送信機
534  アンテナ
535  受信機
536  受信フレームプロセッサ
538  受信プロセッサ
539  データシンク
540  コントローラ/プロセッサ
542  メモリ
544  チャネルプロセッサ
546  スケジューラ/プロセッサ
550  UE
552  アンテナ
554  受信機
556  送信機
560  受信フレームプロセッサ
570  受信プロセッサ
572  データシンク
578  データソース
580  送信プロセッサ
582  送信フレームプロセッサ
590  コントローラ/プロセッサ
592  メモリ
594  チャネルプロセッサ
【図１】
2015521821.tif 000007
【図２】
2015521821.tif 000008
【図３】
2015521821.tif 000009
【図４】
2015521821.tif 000010
【図５】
2015521821.tif 000011
【図６】
2015521821.tif 000012
【図７】
2015521821.tif 000013
【図８】
2015521821.tif 000014
【図９】
2015521821.tif 000015
【図１０】
2015521821.tif 000016
【図１１】
2015521821.tif 000017
【図１２】
2015521821.tif 000018
【図１３】
2015521821.tif 000019
【図１４】
2015521821.tif 000020
【図１５】
2015521821.tif 000021
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
アップリンクデータパケットを圧縮するステップと、
非圧縮アップリンクデータパケットの送信のために許可された持続時間内に複数回ネットワークエンティティにアップリンク専用トランスポートチャネル(DCH)上で前記アップリンクデータパケットを送信するステップと、
前記ネットワークエンティティから前記アップリンクデータパケットに対応するダウンリンク肯定応答メッセージを受信するステップと、
前記ダウンリンク肯定応答メッセージを受信することに基づいて前記DCH上で前記持続時間の残余の間ゼロパワーのビットを送信することによって前記アップリンクDCHの送信を終了するステップと、
を含み、
前記アップリンクデータパケットを圧縮するステップは、nの率で送信時間間隔(TTI)を低減させるステップを含み、
前記複数回は、n回を含む、方法。
【請求項２】
前記ネットワークエンティティから、アップリンク電力制御メッセージを受信するステップであって、前記ネットワークエンティティが、少なくとも信号対干渉比(SIR)ターゲット値に基づいて前記アップリンク電力制御メッセージのコンテンツを判断する、受信するステップと、
前記アップリンク電力制御メッセージに従ってデータチャネルに対応するアップリンク送信電力を調整するステップと、
をさらに含む、請求項1に記載の方法。
【請求項３】
前記SIRターゲット値が、特定の復号試みに関連するターゲット残差ブロック誤り率(BLER)に基づく、請求項2に記載の方法。
【請求項４】
前記ターゲット残差BLERと、前記ターゲット残差BLERがターゲットにされる前記特定の復号試みとのうちの少なくとも1つが、前記ネットワークエンティティにおいて測定されたアップリンク負荷とユーザ機器パワーヘッドルームとのうちの少なくとも1つに基づく、請求項3に記載の方法。
【請求項５】
新しいアップリンクチャネルを確立するステップと、
前記DCH上でダウンリンクデータパケットを受信するステップと、
前記ダウンリンクデータパケットを正常に復号するステップと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信するステップと、
前記アップリンク肯定応答メッセージを送信することに基づいて制御チャネル上でのアップリンク通信を終了するステップと、
をさらに含む、請求項1に記載の方法。
【請求項６】
前記ダウンリンク肯定応答メッセージを受信することと、前記ダウンリンクデータパケットを正常に復号することとに基づいて送信機を電源切断するステップをさらに含む、請求項5に記載の方法。
【請求項７】
前記新しいアップリンクチャネルが、トランスポートフォーマット組合せインジケータ(TFCI)を含む、請求項5に記載の方法。
【請求項８】
TFCIビットを含まないスロットフォーマットを用いて前記制御チャネルを構成するステップをさらに含む、請求項5に記載の方法。
【請求項９】
前記アップリンクデータパケットがボイスデータを含む、請求項1に記載の方法。
【請求項１０】
ワイヤレス通信のための装置であって、
アップリンクデータパケットを圧縮するための手段と、
非圧縮アップリンクデータパケットの送信のために許可された持続時間内に複数回ネットワークエンティティにアップリンク専用トランスポートチャネル(DCH)上で前記アップリンクデータパケットを送信するための手段と、
前記ネットワークエンティティから前記アップリンクデータパケットに対応するダウンリンク肯定応答メッセージを受信するための手段と、
前記ダウンリンク肯定応答メッセージを受信することに基づいて前記DCH上で前記持続時間の残余の間ゼロパワーのビットを送信することによって前記アップリンクDCHの送信を終了するための手段と、
を含み、
前記アップリンクデータパケットを圧縮するための前記手段が、nの率で送信時間間隔(TTI)を低減させるように構成され、前記複数回がn回を含む、装置。
【請求項１１】
前記ネットワークエンティティから、アップリンク電力制御メッセージを受信するための手段であって、前記ネットワークエンティティが、少なくとも信号対干渉比(SIR)ターゲット値に基づいて前記アップリンク電力制御メッセージのコンテンツを判断する、受信するための手段と、
前記アップリンク電力制御メッセージに従ってデータチャネルに対応するアップリンク送信電力を調整するための手段と、
をさらに含む、請求項10に記載の装置。
【請求項１２】
新しいアップリンクチャネルを確立するための手段と、
前記DCH上でダウンリンクデータパケットを受信するための手段と、
前記ダウンリンクデータパケットを正常に復号するための手段と、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信するための手段と、
前記アップリンク肯定応答メッセージを送信することに基づいて制御チャネル上でのアップリンク通信を終了するための手段と、
をさらに含む、請求項10に記載の装置。
【請求項１３】
アップリンクデータパケットを圧縮することと、
非圧縮アップリンクデータパケットの送信のために許可された持続時間内に複数回ネットワークエンティティにアップリンク専用トランスポートチャネル(DCH)上で前記アップリンクデータパケットを送信することと、
前記ネットワークエンティティから前記アップリンクデータパケットに対応するダウンリンク肯定応答メッセージを受信することと、
前記ダウンリンク肯定応答メッセージを受信することに基づいて前記DCH上で前記持続時間の残余の間ゼロパワーのビットを送信することによって前記アップリンクDCHの送信を終了することと、
を行うためのコードを含み、
前記アップリンクデータパケットを圧縮することが、nの率で送信時間間隔(TTI)を低減させることを含み、前記複数回がn回を含む、コンピュータプログラム。
【請求項１４】
前記コンピュータプログラムが、
前記ネットワークエンティティから、アップリンク電力制御メッセージを受信することであって、前記ネットワークエンティティが、少なくとも信号対干渉比(SIR)ターゲット値に基づいて前記アップリンク電力制御メッセージのコンテンツを判断する、受信することと、
前記アップリンク電力制御メッセージに従ってデータチャネルに対応するアップリンク送信電力を調整することと、
を行うためのコードをさらに含む、請求項13に記載のコンピュータプログラム。
【請求項１５】
前記コンピュータプログラムが、
新しいアップリンクチャネルを確立することと、
前記DCH上でダウンリンクデータパケットを受信することと、
前記ダウンリンクデータパケットを正常に復号することと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信することと、
前記アップリンク肯定応答メッセージを送信することに基づいて制御チャネル上でのアップリンク通信を終了することと、
を行うためのコードをさらに含む、請求項13に記載のコンピュータプログラム。
【請求項１６】
ワイヤレス通信のための装置であって、
少なくとも1つのプロセッサと、
前記少なくとも1つのプロセッサに結合されたメモリと、
を含み、
前記少なくとも1つのプロセッサが、
アップリンクデータパケットを圧縮することと、
非圧縮アップリンクデータパケットの送信のために許可された持続時間内に複数回ネットワークエンティティにアップリンク専用トランスポートチャネル(DCH)上で前記アップリンクデータパケットを送信することと、
前記ネットワークエンティティから前記アップリンクデータパケットに対応するダウンリンク肯定応答メッセージを受信することと、
前記ダウンリンク肯定応答メッセージを受信することに基づいて前記DCH上で前記持続時間の残余の間ゼロパワーのビットを送信することによって前記アップリンクDCHの送信を終了することと、
を行うように構成され、
前記アップリンクデータパケットを圧縮することが、nの率で送信時間間隔(TTI)を低減させることを含み、前記複数回がn回を含む、装置。
【請求項１７】
前記少なくとも1つのプロセッサが、
前記ネットワークエンティティから、アップリンク電力制御メッセージを受信することであって、前記ネットワークエンティティが、少なくとも信号対干渉比(SIR)ターゲット値に基づいて前記アップリンク電力制御メッセージのコンテンツを判断する、受信することと、
前記アップリンク電力制御メッセージに従ってデータチャネルに対応するアップリンク送信電力を調整することと、
を行うようにさらに構成された、請求項16に記載の装置。
【請求項１８】
前記SIRターゲット値が、特定の復号試みに関連するターゲット残差ブロック誤り率(BLER)に基づく、請求項17に記載の装置。
【請求項１９】
前記ターゲット残差BLERと、前記ターゲット残差BLERがターゲットにされる前記特定の復号試みとのうちの少なくとも1つが、前記ネットワークエンティティにおいて測定されたアップリンク負荷とユーザ機器パワーヘッドルームとのうちの少なくとも1つに基づく、請求項18に記載の装置。
【請求項２０】
前記少なくとも1つのプロセッサが、
新しいアップリンクチャネルを確立することと、
前記DCH上でダウンリンクデータパケットを受信することと、
前記ダウンリンクデータパケットを正常に復号することと、
前記ダウンリンクデータパケットを受信することと、前記ダウンリンクデータパケットを正常に復号することとに基づいて前記新しいアップリンクチャネル上で前記ネットワークエンティティに前記ダウンリンクデータパケットに対応するアップリンク肯定応答メッセージを送信することと、
前記アップリンク肯定応答メッセージを送信することに基づいて制御チャネル上でのアップリンク通信を終了することと、
を行うようにさらに構成された、請求項16に記載の装置。
【請求項２１】
前記少なくとも1つのプロセッサが、前記ダウンリンク肯定応答メッセージを受信することと、前記ダウンリンクデータパケットを正常に復号することとに基づいて送信機を電源切断するようにさらに構成された、請求項20に記載の装置。
【請求項２２】
前記新しいアップリンクチャネルが、トランスポートフォーマット組合せインジケータ(TFCI)を含む、請求項20に記載の装置。
【請求項２３】
前記少なくとも1つのプロセッサが、TFCIビットを含まないスロットフォーマットを用いて前記制御チャネルを構成するようにさらに構成された、請求項20に記載の装置。
【請求項２４】
前記アップリンクデータパケットがボイスデータを含む、請求項16に記載の装置。
【請求項２５】
ネットワークエンティティにおけるワイヤレス通信の方法であって、
アップリンク専用トランスポートチャネル(DCH)上でユーザ機器(UE)からアップリンクデータパケットの少なくとも一部分を受信するステップであって、前記アップリンクデータパケットが圧縮され、前記圧縮されたアップリンクデータパケットが、nの率で低減された送信時間間隔(TTI)を少なくとも含む、受信するステップと、
早期復号時間のセットにおいて前記アップリンクデータパケットを早期復号しようと試みるステップと、
前記UEに関連する信号対干渉比(SIR)ターゲット値を更新するステップであって、前記アップリンクデータパケットが、特定の復号試みにおいて正常に復号される、更新するステップと、
前記UEにアップリンク電力制御メッセージを送信するステップであって、アップリンク電力制御メッセージのコンテンツが少なくとも前記SIRターゲット値に基づき、前記SIRターゲット値が、ターゲット残差ブロック誤り率(BLER)に関連付けられる、送信するステップと、
を含む、方法。
【請求項２６】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項25に記載の方法。
【請求項２７】
前記DCH上でダウンリンクデータパケットを送信するステップと、
前記ダウンリンクデータパケットを送信することに基づいて前記新しいアップリンクデータチャネル上で前記ダウンリンクデータパケットに対応するアップリンク肯定応答メッセージを受信するステップと、
をさらに備える、請求項25に記載の方法。
【請求項２８】
前記新しいアップリンクチャネルが、トランスポートフォーマット組合せインジケータ(TFCI)を含む、請求項27に記載の方法。
【請求項２９】
前記アップリンクデータパケットがボイスデータを含む、請求項25に記載の方法。
【請求項３０】
ワイヤレス通信のための装置であって、
アップリンク専用トランスポートチャネル(DCH)上でユーザ機器(UE)からアップリンクデータパケットの少なくとも一部分を受信するための手段であって、前記アップリンクデータパケットが圧縮され、前記圧縮されたアップリンクデータパケットが、nの率で低減された送信時間間隔(TTI)を少なくとも含む、受信するための手段と、
早期復号時間のセットにおいて前記アップリンクデータパケットを早期復号しようと試みるための手段と、
前記UEに関連する信号対干渉比(SIR)ターゲット値を更新するための手段であって、前記アップリンクデータパケットが、特定の復号試みにおいて正常に復号される、更新するための手段と、
前記UEにアップリンク電力制御メッセージを送信するための手段であって、アップリンク電力制御メッセージのコンテンツが少なくとも前記SIRターゲット値に基づき、前記SIRターゲット値が、ターゲット残差ブロック誤り率(BLER)に関連付けられる、送信するための手段と、
を含む、装置。
【請求項３１】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項30に記載の装置。
【請求項３２】
アップリンク専用トランスポートチャネル(DCH)上でユーザ機器(UE)からアップリンクデータパケットの少なくとも一部分を受信することであって、前記アップリンクデータパケットが圧縮され、前記圧縮されたアップリンクデータパケットが、nの率で低減された送信時間間隔(TTI)を少なくとも含む、受信することと、
早期復号時間のセットにおいて前記アップリンクデータパケットを早期復号しようと試みることと、
前記UEに関連する信号対干渉比(SIR)ターゲット値を更新することであって、前記アップリンクデータパケットが、特定の復号試みにおいて正常に復号される、更新することと、
前記UEにアップリンク電力制御メッセージを送信することであって、アップリンク電力制御メッセージのコンテンツが少なくとも前記SIRターゲット値に基づき、前記SIRターゲット値が、ターゲット残差ブロック誤り率(BLER)に関連付けられる、送信することと、
を行うためのコードを備える、コンピュータプログラム。
【請求項３３】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項32に記載のコンピュータプログラム。
【請求項３４】
ワイヤレス通信のための装置であって、
少なくとも1つのプロセッサと、
前記少なくとも1つのプロセッサに結合されたメモリと、
を含み、
前記少なくとも1つのプロセッサが、
アップリンク専用トランスポートチャネル(DCH)上でユーザ機器(UE)からアップリンクデータパケットの少なくとも一部分を受信することであって、前記アップリンクデータパケットが圧縮され、前記圧縮されたアップリンクデータパケットが、nの率で低減された送信時間間隔(TTI)を少なくとも含む、受信することと、
早期復号時間のセットにおいて前記アップリンクデータパケットを早期復号しようと試みることと、
前記UEに関連する信号対干渉比(SIR)ターゲット値を更新することであって、前記アップリンクデータパケットが、特定の復号試みにおいて正常に復号される、更新することと、
前記UEにアップリンク電力制御メッセージを送信することであって、アップリンク電力制御メッセージのコンテンツが少なくとも前記SIRターゲット値に基づき、前記SIRターゲット値が、ターゲット残差ブロック誤り率(BLER)に関連付けられる、送信することと、
を行うように構成された、装置。
【請求項３５】
前記ターゲット残差BLERと、前記ターゲット残差BLERがターゲットにされる特定の復号試みとのうちの少なくとも1つが、前記ネットワークエンティティにおいて測定されたアップリンク負荷とユーザ機器パワーヘッドルームとのうちの少なくとも1つに基づく、請求項34に記載の装置。
【請求項３６】
前記少なくとも1つのプロセッサが、
前記DCH上でダウンリンクデータパケットを送信することと、
前記ダウンリンクデータパケットを送信することに基づいて前記新しいアップリンクデータチャネル上で前記ダウンリンクデータパケットに対応するアップリンク肯定応答メッセージを受信することと、
を行うようにさらに構成された、請求項34に記載の装置。
【請求項３７】
前記新しいアップリンクチャネルが、トランスポートフォーマット組合せインジケータ(TFCI)を含む、請求項36に記載の装置。
【請求項３８】
前記アップリンクデータパケットがボイスデータを含む、請求項34に記載の装置。
【国際調査報告】
2015521821.tif 000022
2015521821.tif 000023